(57)【要約】  本発明に係るエレベータの安全装置においては、一対のかごドア２、３の内、一方のかごドア２には、他方のかごドア３と当接すべき閉方向端面2aから他方のかごドア３側へ所定距離だけ離れた直線上の上端位置に、下方へ向けて投光／受光ユニット４が配備される一方、前記直線上の下端位置には、上方へ向けて第１反射部材５が配備されている。他方のかごドア３には、両かごドア２、３が閉じた状態で投光／受光ユニット４が収容される収容空間が形成され、該収容空間の底部には、上方へ向けて第２反射部材６が配備され、第２反射部材６は、他方のかごドア３の閉方向端面3aと同じ位置から収容空間の奥方へ向かって延びている。
2010024215.tif 000002
【特許請求の範囲】
【請求項１】
互いに接近離間する方向に移動して乗降口を開閉する一対のかごドア(２)(３)を具えたエレベータの安全装置において、
一方のかごドア(２)には、他方のかごドア(３)と当接すべき閉方向端面(2a)から他方のかごドア(３)側へ所定距離だけ離れた位置を上下に伸びる直線上の上端位置に、下方へ向けて投光／受光ユニット(４)が配備される一方、前記直線上の下端位置には、上方へ向けて第１反射部材(５)が配備され、投光／受光ユニット(４)は光ビームの出射と入射光ビームの検知が可能であり、前記他方のかごドア(３)には、両かごドア(２)(３)が閉じた状態で前記投光／受光ユニット(４)が収容される収容空間(30)が形成され、該収容空間(30)の底部には、上方へ向けて第２反射部材(６)が配備され、該第２反射部材(６)は、前記他方のかごドア(３)の閉方向端面(3a)と同じ位置から前記収容空間(30)の奥方へ向かって延び、両かごドア(２)(３)が閉じる過程で前記投光／受光ユニット(４)による光ビームの検知が中断されたとき、異物検知信号が生成されることを特徴とするエレベータの安全装置。
【請求項２】
前記他方のかごドア(３)には、両かごドア(２)(３)が全閉直前状態から全閉状態まで閉じる過程で前記第１反射部材(５)の表面を清掃する、清掃具(70)が取り付けられている請求項１に記載のエレベータの安全装置。
【請求項３】
前記一方のかごドア(２)には、前記投光／受光ユニット(４)よりも前記他方のかごドア(３)側に、両かごドア(２)(３)が全閉直前状態から全閉状態まで閉じる過程で前記第２反射部材(６)の表面を清掃する、清掃具(701)が取り付けられている請求項１又は請求項２に記載のエレベータの安全装置。
【請求項４】
前記第１反射部材(５)は、前記一方のかごドア(２)が摺動可能に嵌まる敷居(82)の溝(83)の内部に、該溝(83)に沿って移動可能に保持されている請求項１乃至請求項３の何れかに記載のエレベータの安全装置。
【請求項５】
前記他方のかごドア(３)の下端部には、該かごドア(３)の閉方向端面(3a)の下端と敷居(82)の表面との間に形成される隙間を塞ぐ、異物侵入防止部材(９)が取り付けられている請求項１乃至請求項４の何れかに記載のエレベータの安全装置。
【請求項６】
前記一方のかごドア(２)の下端部には、該かごドア(２)の閉方向端面(2a)の下端と敷居(82)の表面との間に形成される隙間を塞ぐと共に該隙間よりも前記他方のかごドア(３)側へ突出する、異物押出し部材(90)が取り付けられている請求項１乃至請求項５の何れかに記載のエレベータの安全装置。
【請求項７】
前記一対のかごドア(２)(３)の少なくとも何れか一方のかごドアには該かごドアに対して相対移動するセーフティシューフレーム(27)が取り付けられており、該セーフティシューフレーム(27)の下端面は、水平面に対して所定の傾斜角度を有して他方のかごドア側へ向いた斜面(28)を形成している請求項１乃至請求項６の何れかに記載のエレベータの安全装置。
【請求項８】
両かごドア(２)(３)は全開状態から第１の全閉直前状態及び第２の全閉直前状態を経て全閉状態まで閉じるものであって、両かごドア(２)(３)が第１の全閉直前状態から第２の全閉直前状態まで閉じる過程の所定時点でオフからオンとなる検知手段を具え、
前記第２反射部材(６)は、両かごドア(２)(３)が第１の全閉直前状態から第２の全閉直前状態まで閉じる過程では前記投光／受光ユニット(４)から出射される光ビームを反射する一方、両かごドア(２)(３)が第２の全閉直前状態から全閉状態に達する過程では前記投光／受光ユニット(４)から出射される光ビームを殆ど反射しない構成を有し、前記検知手段がオンとなった後に異物検知信号が生成されないとき、投光／受光ユニット(４)に異常が発生したものと判断する請求項１乃至請求項７の何れかに記載のエレベータの安全装置。
【請求項９】
戸当たりフレーム(12)に対して接近離間する方向に移動して乗降口を開閉する少なくとも１つのかごドア(23)を具えたエレベータの安全装置において、
前記かごドア(23)には、前記戸当たりフレーム(12)と当接すべき閉方向端面(23a)から戸当たりフレーム(12)側へ所定距離だけ離れた位置を上下に延びる直線上の上端位置に、下方へ向けて投光／受光ユニット(４)が配備される一方、前記直線上の下端位置には、上方へ向けて第１反射部材(５)が配備され、投光／受光ユニット(４)は光ビームの出射と入射光ビームの検知が可能であり、前記戸当たりフレーム(12)には、かごドア(23)が閉じた状態で前記投光／受光ユニット(４)が収容される収容空間(30)が形成され、該収容空間(30)の底部には、上方へ向けて第２反射部材(６)が配備され、該第２反射部材(６)は、前記かごドア(23)が当接すべき戸当たりフレーム(12)の端面(12a)と同じ位置から前記収容空間(30)の奥方へ向かって延び、前記かごドア(23)が閉じる過程で前記投光／受光ユニット(４)による光ビームの検知が中断されたとき、異物検知信号が生成されることを特徴とするエレベータの安全装置。
【請求項１０】
前記戸当たりフレーム(12)には、前記かごドア(23)が全閉直前状態から全閉状態まで閉じる過程で前記第１反射部材(５)の表面を清掃する、清掃具(70)が取り付けられている請求項９に記載のエレベータの安全装置。
【請求項１１】
前記かごドア(23)には、前記投光／受光ユニット(４)よりも前記戸当たりフレーム(12)側に、かごドア(23)が全閉直前状態から全閉状態まで閉じる過程で前記第２反射部材(６)の表面を清掃する、清掃具(701)が取り付けられている請求項９又は請求項１０に記載のエレベータの安全装置。
【請求項１２】
前記第１反射部材(５)は、前記かごドア(23)が摺動可能に嵌まる敷居(86)の溝(87)の内部に、該溝(87)に沿って移動可能に保持されている請求項９乃至請求項１１の何れかに記載のエレベータの安全装置。
【請求項１３】
前記かごドア(23)の下端部には、該かごドア(23)の閉方向端面(23a)の下端と敷居(86)の表面との間に形成される隙間を塞ぐと共に該隙間よりも戸当たりフレーム(12)側へ突出する、異物押出し部材(90)が取り付けられている請求項９乃至請求項１２の何れかに記載のエレベータの安全装置。
【請求項１４】
前記かごドア(23)には該かごドア(23)に対して相対移動するセーフティシューフレーム(29)が取り付けられており、該セーフティシューフレーム(29)の下端面は、水平面に対して所定の傾斜角度を有して他方のかごドア側へ向いた斜面(28)を形成している請求項９乃至請求項１３の何れかに記載のエレベータの安全装置。
【請求項１５】
前記かごドア(23)は全開状態から第１の全閉直前状態及び第２の全閉直前状態を経て全閉状態まで閉じるものであって、該かごドア(23)が第１の全閉直前状態から第２の全閉直前状態まで閉じる過程の所定時点でオフからオンとなる検知手段を具え、
前記第２反射部材(６)は、前記かごドア(23)が第１の全閉直前状態から第２の全閉直前状態まで閉じる過程では前記投光／受光ユニット(４)から出射される光ビームを反射する一方、前記かごドア(23)が第２の全閉直前状態から全閉状態に達する過程では前記投光／受光ユニット(４)から出射される光ビームを殆ど反射しない構成を有し、前記検知手段がオンとなった後に異物検知信号が生成されないとき、投光／受光ユニット(４)に異常が発生したものと判断する請求項９乃至請求項１４の何れかに記載のエレベータの安全装置。
【請求項１６】
更に、乗り場ドアの下端部には、該乗り場ドアの閉方向端面の下端と敷居の表面との間に形成される隙間を塞ぐ、異物侵入防止部材(９)が取り付けられている請求項１乃至請求項１５の何れかに記載のエレベータの安全装置。
【請求項１７】
互いに接近離間する方向に移動して乗降口を開閉する一対のかごドア(２)(３)と、乗降口の上方に配備されるフレーム(81)と、乗降口の下方に配備される敷居(82)とを具えたエレベータの安全装置において、
前記一対のかごドア(２)(３)が全閉状態にて互いに当接する当接位置を上下に延びる直線上の位置において、前記フレーム(81)には下方へ向けて投光／受光ユニット(４)が配備される一方、前記敷居(82)には上方へ向けて反射部材(50)が配備され、前記投光／受光ユニット(４)は光ビームの出射と入射光ビームの検知が可能であり、両かごドア(２)(３)が閉じる過程で前記投光／受光ユニット(４)による光ビームの検知が中断されたとき、異物検知信号が生成されることを特徴とするエレベータの安全装置。
【請求項１８】
前記反射部材(50)は前記敷居(82)の下方に配備され、該敷居(82)には、前記光ビームが通過する貫通孔(821)が形成されている請求項１７に記載のエレベータの安全装置。
【請求項１９】
前記敷居(82)及び前記かごドア(３)には、前記反射部材(50)の表面を清掃する清掃機構(７)が配備されており、該清掃機構(７)は、該反射部材(50)の表面に沿ってスライド可能であると共にかごドア(３)の開方向或いは閉方向にばね付勢された清掃具(71)と、前記かごドア(３)が閉じる過程或いは開く過程で該清掃具(71)をばね付勢に抗して押圧する押圧部(32)とから構成されている請求項１７又は請求項１８に記載のエレベータの安全装置。
【請求項２０】
互いに接近離間する方向に移動して乗降口を開閉する一対のかごドア(２)(３)と、乗降口の上方に配備されるフレーム(81)とを具えたエレベータの安全装置において、
前記フレーム(81)には、前記一対のかごドア(２)(３)が全閉状態にて互いに当接する当接位置を上下に延びる直線上の位置に、下方へ向けて投光／受光ユニット(４)が配備され、一方のかごドア(３)には、他方のかごドア(２)と当接すべき閉方向端面(３a)の下端位置に、反射部材(50)が上方に向けて配備され、前記投光／受光ユニット(４)は光ビームの出射と入射光ビームの検知が可能であり、両かごドア(２)(３)が閉じる過程で前記投光／受光ユニット(４)による光ビームの検知が中断されたとき、異物検知信号が生成されることを特徴とするエレベータの安全装置。
【請求項２１】
前記反射部材(50)は、前記一方のかごドア(３)が摺動可能に嵌まる敷居(82)の溝(83)の内部に、該溝(83)に沿って移動可能に保持されている請求項２０に記載のエレベータの安全装置。
【請求項２２】
前記敷居(82)の溝(83)の内部には、両かごドア(２)(３)が閉じる過程で前記反射部材(50)の表面を清掃する、清掃具(77)が取り付けられている請求項２１に記載のエレベータの安全装置。
【請求項２３】
前記一対のかごドア(２)(３)には、全閉状態にて互いに当接すべき閉方向端面(2a)(3a)に、前記直線に沿って延びた一対の凹部(2b)(3b)又は一対の切欠き部(2c)(3c)が形成されており、両かごドア(２)(３)が全閉状態のときに、光ビームを通過させるための通路(105)が該一対の凹部(2b)(3b)又は一対の切欠き部(2c)(3c)によって形成される請求項１７乃至請求項２２の何れかに記載のエレベータの安全装置。
【請求項２４】
戸当たりフレーム(84)に対して接近離間する方向に移動して乗降口を開閉する少なくとも１つのかごドア(23)を具えたエレベータの安全装置において、
前記戸当たりフレーム(84)には、前記かごドア(23)が当接すべき端面(84a)からかごドア(23)側へ所定の距離だけ離れた位置を上下に延びる直線上の上端位置に、下方へ向けて投光／受光ユニット(４)が配備される一方、該直線上の下端位置には、上方へ向けて第１反射部材(61)が配備され、前記投光／受光ユニット(４)は光ビームの出射と入射光ビームの検知が可能であり、前記かごドア(23)には、かごドア(23)が閉じた状態で前記投光／受光ユニット(４)が収容される収容空間(30)が形成され、該収容空間(30)の底部には、上方へ向けて第２反射部材(62)が配備され、該第２反射部材(62)は、前記戸当たりフレーム(84)と当接すべき前記かごドア(23)の閉方向端面(23a)と同じ位置から前記収容空間(30)の奥方へ向かって延び、前記かごドア(23)が閉じる過程で前記投光／受光ユニット(４)による光ビームの検知が中断されたとき、異物検知信号が生成されることを特徴とするエレベータの安全装置。
【請求項２５】
前記かごドア(23)には、該かごドア(23)に対して相対移動するセーフティシューフレーム(29)が取り付けられ、前記戸当たりフレーム(84)の端面(84a)には、前記直線に沿って延びた突出部材(94)が形成されており、該突出部材(94)は、該端面(84a)からの突出長さが前記所定の距離よりも短く、該直線の位置に対してセーフティシューフレーム(29)側に位置すると共に、前記かごドア(23)が閉じる過程でセーフティシューフレーム(29)と重なる請求項２４に記載のエレベータの安全装置。
【請求項２６】
前記戸当たりフレーム(84)の下端部には、該戸当たりフレーム(84)の端面(84a)よりも前記かごドア(23)側へ突出する異物押出し部材(93)が配備されている請求項２４又は請求項２５に記載のエレベータの安全装置。
【請求項２７】
前記かごドア(23)には、該かごドア(23)が閉じる過程で前記第１反射部材(61)の表面を清掃する、清掃具(78)が取り付けられている請求項２４乃至請求項２６の何れかに記載のエレベータの安全装置。
【請求項２８】
前記戸当たりフレーム(84)には、前記投光／受光ユニット(４)よりも前記かごドア(23)側に清掃具(79)が取り付けられ、該清掃具(79)は、該かごドア(23)が閉じる過程で前記第２反射部材(62)の表面を清掃する請求項２４乃至請求項２７の何れかに記載のエレベータの安全装置。
【請求項２９】
前記第１反射部材(61)は、前記かごドア(23)が摺動可能に嵌まる敷居(86)の溝(87)の内部に保持されている請求項２４乃至請求項２８の何れかに記載のエレベータの安全装置。
【請求項３０】
前記かごドア(23)は全開状態から第１の全閉直前状態及び第２の全閉直前状態を経て全閉状態まで閉じるものであって、該かごドア(23)が第１の全閉直前状態から第２の全閉直前状態まで閉じる過程の所定時点でオフからオンとなる検知手段を具え、
前記第２反射部材(62)は、前記かごドア(23)が第１の全閉直前状態から第２の全閉直前状態まで閉じる過程では前記投光／受光ユニット(４)から出射される光ビームを反射する一方、前記かごドア(23)が第２の全閉直前状態から全閉状態に達する過程では前記投光／受光ユニット(４)から出射される光ビームを殆ど反射しない構成を有し、前記検知手段がオンとなった後に異物検知信号が生成されないとき、投光／受光ユニット(４)に異常が発生したものと判断する請求項２４乃至請求項２９の何れかに記載のエレベータの安全装置。
【請求項３１】
戸当たりフレーム(84)に対して接近離間する方向に移動して乗降口を開閉する少なくとも１つのかごドア(23)を具えたエレベータの安全装置において、
前記戸当たりフレーム(84)には、前記かごドア(23)が全閉状態にて当接する当接位置を上下に延びる直線上の上端位置に、下方へ向けて投光／受光ユニット(４)が配備される一方、該直線上の下端位置には、上方へ向けて反射部材(61)が配備され、前記投光／受光ユニット(４)は光ビームの出射と入射光ビームの検知が可能であり、かごドア(23)が当接すべき戸当たりフレーム(84)の端面(84a)と、戸当たりフレーム(84)と当接すべきかごドア(23)の閉方向端面(23a)には、前記直線に沿って延びた一対の凹部(84b)(23b)又は一対の切欠き部(84c)(23c)が形成されており、前記かごドア(23)が全閉状態のときに、光ビームを通過させるための通路(115)が該一対の凹部(84b)(23b)又は一対の切欠き部(84c)(23c)によって形成され、前記かごドア(23)が閉じる過程で前記投光／受光ユニット(４)による光ビームの検知が中断されたとき、異物検知信号が生成されることを特徴とするエレベータの安全装置。
【請求項３２】
前記かごドア(23)には、該かごドア(23)が閉じる過程で前記反射部材(61)の表面を清掃する、清掃具が取り付けられている請求項３１に記載のエレベータの安全装置。
【請求項３３】
前記反射部材(61)は、前記かごドア(23)が摺動可能に嵌まる敷居(86)の溝(87)の内部に保持されている請求項３１又は請求項３２に記載のエレベータの安全装置。
【請求項３４】
前記投光／受光ユニット(４)による光ビームの出射は、前記かごドアが全閉直前状態から全閉状態まで閉じる過程で実行される請求項１７乃至請求項３３の何れかに記載のエレベータの安全装置。
【請求項３５】
前記かごドアの下端部には、該かごドアの閉方向端面の下端と敷居の表面との間に形成される隙間を塞ぐ、異物侵入防止部材(91)(92)が取り付けられている請求項１７乃至請求項３４の何れかに記載のエレベータの安全装置。
【請求項３６】
前記かごドアが閉じる過程で異物検知信号が生成された場合に、その動作を反転させて該かごドアを開く反転戸開き動作を実行する反転戸開き手段と、
前記反転戸開き手段による反転戸開き動作を無効にして、異物検知信号の生成の有無に拘わらず強制的に前記かごドアの戸閉め動作を実行する強制戸閉め手段と、
前記強制戸閉め手段による強制戸閉め動作の実行前に、又は、前記強制戸閉め手段による強制戸閉め動作の実行に並行して、該強制戸閉め動作の実行を報知する報知手段
とを具える請求項１乃至請求項３５の何れかに記載のエレベータの安全装置。
【請求項３７】
前記強制戸閉め手段による強制戸閉め動作の完了後に乗りかごの走行を開始させる乗りかご制御手段と、
前記強制戸閉め手段による強制戸閉め動作の実行中に異物検知信号が生成された場合、前記乗りかご制御手段により乗りかごの走行が開始される前に乗りかごの走行開始を報知する第２の報知手段
とを更に具える請求項３６に記載のエレベータの安全装置。
【発明の詳細な説明】
【技術分野】
【０００１】
本発明はエレベータの安全装置に関し、より具体的には、かごドアが閉じる過程で紐状の異物が挟み込まれたときの安全を図るエレベータの安全装置に関するものである。
【背景技術】
【０００２】
エレベータにおいては、例えば犬等のペットを紐に繋いで乗りかごに乗るとき、ペットが乗り場フロアに残ったまま人が乗りかごに乗り込むと、乗りかごの内部と乗り場フロアに跨って紐が張られた状態で、かごドアと乗り場ドアが閉じて、乗りかごが上昇若しくは下降することになる。この結果、ペットに繋がっている紐によって人の手が強く引っ張られ、場合によっては手首等に大きな傷を受ける虞がある。【０００３】
エレベータのかごドアには、その閉方向端面から突出してかごドアに対して相対移動するセーフティシューフレームが取り付けられており、かごドアが閉じる過程で該セーフティシューフレームが人や異物と衝突し、該セーフティシューフレームに力が作用すると、かごドア及び乗り場ドアを閉じ動作から開き動作に反転させることが行なわれている。
又、乗りかごの乗降口を水平方向に横切る光ビームを生成して、該光ビームを人や異物が遮ると、かごドア及び乗り場ドアを閉じ動作から開き動作に反転させることが行なわれている。【０００４】
しかしながら、上述のセーフティシューフレームや水平の光ビームを用いた従来の異物検知方式では、紐やロープの如く細長い異物を確実に検知することが出来ない。
そこで、かごドアの閉方向端面から所定距離だけ離れた鉛直線上の上端位置に投光部を配置すると共に、前記鉛直線上の下端位置に受光部を配置し、投光部から出射された光を受光部で検知する鉛直走査方式(特許文献１参照)を利用して、紐状の異物を検知することが考えられる。【０００５】
又、一対のかごドアが全閉状態にて互いに当接する当接位置を上下に延びる鉛直線上の位置にて、敷居に投光部を配置すると共に、乗降口上方のフレームに受光部を配置し、投光部から出射された光を受光部で検知する鉛直走査方式（特許文献２参照）を利用して、紐状の異物を検知することも考えられる。【０００６】
上記鉛直走査方式を採用すれば、乗りかごの乗降口を通過してある程度の高さ位置を紐が伸びている状態で、かごドアが閉じると、その過程で光の走査線が紐を横切るため、受光部の出力信号に基づいて紐を検知することが可能である。
【先行技術文献】
【特許文献】
【０００７】
【特許文献１】実開昭６１−２０３６８０号公報
【特許文献２】特開２００８−１６９００９号公報
【発明の概要】
【発明が解決しようとする課題】
【０００８】
かごドアに投光部を配置したエレベータ（特許文献１参照）においては、発光部はかごドアの閉方向端面から突出した位置に設置されているため、かごドアが全閉状態の直前の位置(全閉直前位置)から全閉位置まで閉じる過程で、発光部が他方のかごドア若しくは戸当たりフレームと衝突しない様、該他方のかごドア若しくは戸当たりフレームには発光部の収容空間を形成する必要がある。
従って、かごドアが全閉直前位置から全閉位置まで閉じる過程で、発光部から出射される光は前記他方のかごドア若しくは戸当たりフレームによって遮られ、受光部には到達しないことになる。【０００９】
ここで、受光部による光検知の中断を異物の検知と判断することは出来ないので、かごドアが全閉直前位置から全閉位置まで閉じるまでは、発光部と受光部による異物検知機能は無効とせざるを得ない。
この場合、発光部が設置されているかごドアの閉方向端面に接触して紐状の異物が伸びていると、発光部と受光部による異物検知機能が無効となっているため、その異物を検知することが出来ない問題がある。【００１０】
フレームの敷居に投光部を配置したエレベータ（特許文献２参照）によれば、この問題を解決することができるが、投光部への汚れの付着やいたずら等により、投光部から出射された光が遮られ、その結果、受光部による光検知が中断されて、異物の検知と誤って判断してしまう虞がある。
例えばかごドアの閉方向端面に、その上端から下端までの全域を感度域とする感圧センサーを取り付けることも考えられるが、この場合、かごドアに大きな改造を施さねばならず、改造コストが嵩む問題がある。【００１１】
そこで本発明の目的は、紐状の異物をその位置に拘らず常に確実に検知することが出来る簡易な構成のエレベータの安全装置を提供することである。
【課題を解決するための手段】
【００１２】
本発明に係る第１のエレベータの安全装置は、互いに接近離間する方向に移動して乗降口を開閉する一対のかごドア(２)(３)を具え、一方のかごドア(２)には、他方のかごドア(３)と当接すべき閉方向端面(2a)から他方のかごドア(３)側へ所定距離だけ離れた位置を閉方向端面(2a)に沿って上下に延びる直線上の上端位置に、下方へ向けて投光／受光ユニット(４)が配備される一方、前記直線上の下端位置には、上方へ向けて第１反射部材(５)が配備され、投光／受光ユニット(４)は光ビームの出射と入射光ビームの検知が可能である。【００１３】
前記他方のかごドア(３)には、両かごドア(２)(３)が閉じた状態で前記投光／受光ユニット(４)が収容される収容空間(30)が形成され、該収容空間(30)の底部には、上方へ向けて第２反射部材(６)が配備され、該第２反射部材(６)は、前記他方のかごドア(３)の閉方向端面(3a)と同じ位置から前記収容空間(30)の奥方へ向かって延びている。【００１４】
投光／受光ユニット(４)は、両かごドア(２)(３)が閉じる過程で光ビームの検知が中断されたとき、異物検知信号を生成する。
この結果、異物の存在が認識され、両かごドア(２)(３)の閉じ動作が中止される。【００１５】
上記第１のエレベータの安全装置によれば、乗りかごの乗降口に異物が存在しない場合、両かごドア(２)(３)が全開状態から全閉状態へ移動する過程で、投光／受光ユニット(４)が前記収容空間(30)に突入するまでは、投光／受光ユニット(４)から出射される光ビームは第１反射部材(５)により反射されて投光／受光ユニット(４)へ入射し、投光／受光ユニット(４)が前記収容空間(30)へ突入した後は、投光／受光ユニット(４)から出射される光ビームは第２反射部材(６)により反射されて投光／受光ユニット(４)へ入射する。
従って、両かごドア(２)(３)が閉じる過程で投光／受光ユニット(４)による光ビームの検知が中断されることはなく、異物検知信号は生成されない。【００１６】
これに対し、乗降口を通過して紐状の異物が存在する場合、両かごドア(２)(３)が閉じる過程で投光／受光ユニット(４)から出射される光ビームが該異物によって遮られるので、投光／受光ユニット(４)による光ビームの検知が中断され、その結果、異物検知信号が生成される。
ここで、紐状の異物が前記他方のかごドア(３)の閉方向端面(3a)に接触して伸びている場合であっても、投光／受光ユニット(４)による光ビームの検知動作は継続されており、両かごドア(２)(３)が全閉状態に達する過程で投光／受光ユニット(４)から出射される光ビームが該異物によって遮られるので、該異物の存在を検知することが可能である。【００１７】
具体的構成において、前記他方のかごドア(３)には、両かごドア(２)(３)が全閉直前状態から全閉状態まで閉じる過程で前記第１反射部材(５)の表面を清掃する、清掃具(70)が取り付けられている。
該具体的構成によれば、両かごドア(２)(３)が全閉直前状態から全閉状態まで閉じる度に清掃具(70)によって第１反射部材(５)の表面が清掃されるので、第１反射部材(５)の表面が常に良好な反射面に維持される。【００１８】
又、具体的な構成において、前記一方のかごドア(２)には、前記投光／受光ユニット(４)よりも前記他方のかごドア(３)側に、両かごドア(２)(３)が全閉直前状態から全閉状態まで閉じる過程で前記第２反射部材(６)の表面を清掃する、清掃具(701)が取り付けられている。
該具体的構成によれば、両かごドア(２)(３)が全閉直前状態から全閉状態まで閉じる度に清掃具(701)によって第２反射部材(６)の表面が清掃されるので、第２反射部材(６)の表面が常に良好な反射面に維持される。【００１９】
又、具体的な構成において、前記他方のかごドア(３)の下端部には、該かごドア(３)の閉方向端面(3a)の下端と敷居(82)の表面との間に形成される隙間を塞ぐ、異物侵入防止部材(９)が取り付けられている。
該具体的構成によれば、異物侵入防止部材(９)によって、紐状の異物がかごドア(３)の閉方向端面(3a)の下端と敷居(82)の表面との間に形成される隙間に侵入することが防止されるので、両かごドア(２)(３)が閉じる過程で紐状の異物を確実に検知することが出来る。【００２０】
又、具体的な構成において、前記一方のかごドア(２)の下端部には、該かごドア(２)の閉方向端面(2a)の下端と敷居(82)の表面との間に形成される隙間を塞ぐと共に該隙間よりも他方のかごドア(３)側へ突出する、異物押出し部材(90)が取り付けられている。
該具体的構成によれば、異物押出し部材(90)によって、紐状の異物がかごドア(２)の閉方向端面(2a)の下端と敷居(82)の表面との間に形成される隙間に侵入することが防止され、且つ両かごドア(２)(３)が閉じる過程で前記異物が前記隙間よりも前方へ押し出されるので、両かごドア(２)(３)が閉じる過程で光ビームは必ず異物によって遮られ、この結果、紐状の異物を確実に検知することが出来る。【００２１】
更に具体的な構成において、前記一対のかごドア(２)(３)の少なくとも何れか一方のかごドアには該かごドアに対して相対移動するセーフティシューフレーム(27)が取り付けられており、該セーフティシューフレーム(27)の下端面は、水平面に対して所定の傾斜角度を有して他方のかごドア側へ向いた斜面(28)を形成している。
該具体的構成によれば、両かごドア(２)(３)が閉じる過程でセーフティシューフレーム(27)の下端面の下に紐状の異物が潜り込んだとしても、該異物を引っ張り上げることによって、該異物はセーフティシューフレーム(27)の斜面(28)に案内されて容易にセーフティシューフレーム(27)の下から抜け出すことが出来る。【００２２】
更に又、具体的な構成において、両かごドア(２)(３)は全開状態から第１の全閉直前状態及び第２の全閉直前状態を経て全閉状態まで閉じるものであって、両かごドア(２)(３)が第１の全閉直前状態から第２の全閉直前状態まで閉じる過程の所定時点でオフからオンとなる検知手段を具え、
前記第２反射部材(６)は、両かごドア(２)(３)が第１の全閉直前状態から第２の全閉直前状態まで閉じる過程では前記投光／受光ユニット(４)から出射される光ビームを反射する一方、両かごドア(２)(３)が第２の全閉直前状態から全閉状態に達する過程では前記投光／受光ユニット(４)から出射される光ビームを殆ど反射しない構成を有している。
制御ユニット(100)は、前記検知手段がオンとなった後に異物検知信号が生成されないとき、投光／受光ユニット(４)に異常が発生したものと判断する。【００２３】
該具体的構成によれば、両かごドア(２)(３)が第１の全閉直前状態まで閉じると、投光／受光ユニット(４)から出射された光ビームが第２反射部材(６)の反射部(601)によって反射され、投光／受光ユニット(４)に戻って来ることになる。このとき、前記検知手段はオフである。その後、両かごドア(２)(３)が第２の全閉直前状態まで閉じる過程で、投光／受光ユニット(４)から出射された光ビームが第２反射部材(６)によって反射されて投光／受光ユニット(４)に一定以上の光量で戻って来ると共に、前記所定時点で検知手段がオンとなる。両かごドア(２)(３)が第２の全閉直前位置から更に閉じると、投光／受光ユニット(４)から出射された光ビームは第２反射部材(６)によって殆ど反射されず、投光／受光ユニット(４)には一定以上の光量では戻って来ないので、異物検知信号が生成される。このとき、前記検知手段はオンのままである。従って、投光／受光ユニット(４)が正常に動作している限り、全閉状態では、前記検知手段がオンとなり、且つ異物検知信号が生成されることになる。【００２４】
ところが、投光／受光ユニット(４)に何らかの異常が発生していると、全閉状態で、前記検知手段はオンとなるが、異物検知信号は生成されないことになる。そこで、前記検知手段がオンとなった後に異物検知信号が生成されないときは、投光／受光ユニット(４)に何らかの異常が発生しているものと判断することが出来る。【００２５】
本発明に係る第２のエレベータの安全装置は、戸当たりフレーム(12)に対して接近離間する方向に移動して乗降口を開閉する少なくとも１つのかごドア(23)を具え、前記かごドア(23)には、前記戸当たりフレーム(12)と当接すべき閉方向端面(23a)から戸当たりフレーム(12)側へ所定距離だけ離れた位置を閉方向端面(23a)に沿って上下に延びる直線上の上端位置に、下方へ向けて投光／受光ユニット(４)が配備される一方、前記直線上の下端位置には、上方へ向けて第１反射部材(５)が配備され、投光／受光ユニット(４)は光ビームの出射と入射光ビームの検知が可能である。【００２６】
前記戸当たりフレーム(12)には、かごドア(23)が閉じた状態で前記投光／受光ユニット(４)が収容される収容空間(30)が形成され、該収容空間(30)の底部には、上方へ向けて第２反射部材(６)が配備され、該第２反射部材(６)は、前記かごドア(23)が当接すべき戸当たりフレーム(12)の端面(12a)と同じ位置から前記収容空間(30)の奥方へ向かって延びている。【００２７】
投光／受光ユニット(４)は、前記かごドア(23)が閉じる過程で光ビームの検知が中断されたとき、異物検知信号を生成する。
この結果、異物の存在が認識され、かごドア(23)の閉じ動作が中止される。【００２８】
上記第２のエレベータの安全装置によれば、乗りかごの乗降口に異物が存在しない場合、かごドア(23)が全開状態から全閉状態へ移動する過程で、投光／受光ユニット(４)が前記収容空間(30)に突入するまでは、投光／受光ユニット(４)から出射される光ビームは第１反射部材(５)により反射されて投光／受光ユニット(４)へ入射し、投光／受光ユニット(４)が前記収容空間(30)へ突入した後は、投光／受光ユニット(４)から出射される光ビームは第２反射部材(６)により反射されて投光／受光ユニット(４)へ入射する。
従って、かごドア(23)が閉じる過程で投光／受光ユニット(４)による光ビームの検知が中断されることはなく、異物検知信号は生成されない。【００２９】
これに対し、乗降口を通過して紐状の異物が存在する場合、かごドア(23)が閉じる過程で投光／受光ユニット(４)から出射される光ビームが該異物によって遮られるので、投光／受光ユニット(４)による光ビームの検知が中断され、その結果、異物検知信号が生成される。
ここで、紐状の異物が戸当たりフレーム(12)の端面(12a)に接触して伸びている場合であっても、投光／受光ユニット(４)による光ビームの検知動作は継続されており、かごドア(23)が全閉状態に達する過程で投光／受光ユニット(４)から出射される光ビームが該異物によって遮られるので、該異物の存在を検知することが可能である。【００３０】
具体的構成において、前記戸当たりフレーム(12)には、前記かごドア(23)が全閉直前状態から全閉状態まで閉じる過程で前記第１反射部材(５)の表面を清掃する、清掃具(70)が取り付けられている。
該具体的構成によれば、かごドア(23)が全閉直前状態から全閉状態まで閉じる度に清掃具(70)によって第１反射部材(５)の表面が清掃されるので、第１反射部材(５)の表面が常に良好な反射面に維持される。【００３１】
又、具体的構成において、前記かごドア(23)には、前記投光／受光ユニット(４)よりも前記戸当たりフレーム(12)側に、かごドア(23)が全閉直前状態から全閉状態まで閉じる過程で前記第２反射部材(６)の表面を清掃する、清掃具(701)が取り付けられている。
該具体的構成によれば、かごドア(23)が全閉直前状態から全閉状態まで閉じる度に清掃具(701)によって第２反射部材(６)の表面が清掃されるので、第２反射部材(６)の表面が常に良好な反射面に維持される。【００３２】
又、具体的構成において、前記かごドア(23)の下端部には、該かごドア(23)の閉方向端面(23a)の下端と敷居(86)の表面との間に形成される隙間を塞ぐと共に該隙間よりも戸当たりフレーム(12)側へ突出する、異物押出し部材(90)が取り付けられている。
該具体的構成によれば、異物押出し部材(90)によって、紐状の異物がかごドア(23)の閉方向端面(23a)の下端と敷居(82)の表面との間に形成される隙間に侵入することが防止され、且つかごドア(23)が閉じる過程で前記異物が前記隙間よりも前方へ押し出されるので、かごドア(23)が閉じる過程で光ビームは必ず異物によって遮られ、この結果、紐状の異物を確実に検知することが出来る。【００３３】
更に具体的な構成において、前記かごドア(23)には該かごドア(23)に対して相対移動するセーフティシューフレーム(29)が取り付けられており、該セーフティシューフレーム(29)の下端面は、水平面に対して所定の傾斜角度を有して他方のかごドア側へ向いた斜面(28)を形成している。
該具体的構成によれば、かごドア(23)が閉じる過程でセーフティシューフレーム(29)の下端面の下に紐状の異物が潜り込んだとしても、該異物を引っ張り上げることによって、該異物はセーフティシューフレーム(29)の斜面(28)に案内されて容易にセーフティシューフレーム(29)の下から抜け出すことが出来る。【００３４】
更に又、具体的な構成において、前記かごドア(23)は第１の全閉直前状態から第２の全閉直前状態を経て全閉状態まで閉じるものであって、該かごドア(23)が第１の全閉直前状態から第２の全閉直前状態まで閉じる過程の所定時点でオフからオンとなる検知手段を具え、
前記第２反射部材(６)は、前記かごドア(23)が第１の全閉直前状態から第２の全閉直前状態まで閉じる過程では前記投光／受光ユニット(４)から出射される光ビームを反射する一方、前記かごドア(23)が第２の全閉直前状態から全閉状態に達する過程では前記投光／受光ユニット(４)から出射される光ビームを殆ど反射しない構成を有している。
制御ユニット(100)は、前記検知手段がオンとなった後に異物検知信号が生成されないとき、投光／受光ユニット(４)に異常が発生したものと判断する。【００３５】
該具体的構成によれば、前記かごドア(23)が第１の全閉直前状態まで閉じると、投光／受光ユニット(４)から出射された光ビームが第２反射部材(６)によって反射され、投光／受光ユニット(４)に戻って来ることになる。このとき、前記検知手段はオフである。その後、かごドア(23)が第２の全閉直前状態まで閉じる過程で、投光／受光ユニット(４)から出射された光ビームが第２反射部材(６)の反射部(601)によって反射されて投光／受光ユニット(４)に一定以上の光量で戻って来ると共に、前記所定時点で検知手段がオンとなる。かごドア(23)が第２の全閉直前位置から更に閉じると、投光／受光ユニット(４)から出射された光ビームは第２反射部材(６)によって反射されず、投光／受光ユニット(４)には一定以上の光量では戻って来ないので、異物検知信号が生成される。このとき、前記検知手段はオンのままである。従って、投光／受光ユニット(４)が正常に動作している限り、全閉状態では、前記検知手段がオンとなり、且つ異物検知信号が生成されることになる。【００３６】
ところが、投光／受光ユニット(４)に何らかの異常が発生していると、全閉状態では、前記検知手段はオンとなるが、異物検知信号は生成されないことになる。そこで、前記検知手段がオンとなった後に異物検知信号が生成されないときは、投光／受光ユニット(４)に何らかの異常が発生しているものと判断することが出来る。【００３７】
本発明に係る第３のエレベータの安全装置は、互いに接近離間する方向に移動して乗降口を開閉する一対のかごドア(２)(３)と、乗降口の上方に配備されるフレーム(81)と、乗降口の下方に配備される敷居(82)とを具えたエレベータの安全装置であって、前記一対のかごドア(２)(３)が全閉状態にて互いに当接する当接位置を上下に延びる直線上の位置において、前記フレーム(81)には下方へ向けて投光／受光ユニット(４)が配備される一方、前記敷居(82)には上方へ向けて反射部材(50)が配備され、前記投光／受光ユニット(４)は光ビームの出射と入射光ビームの検知が可能である。【００３８】
前記投光／受光ユニット(４)は、両かごドア(２)(３)が閉じる過程で光ビームの検知が中断されたとき、異物検知信号を生成する。
この結果、異物の存在が認識され、両かごドア(２)(３)の閉じ動作が中止される。【００３９】
尚、具体的構成において、前記一対のかごドア(２)(３)には、全閉状態にて互いに当接すべき閉方向端面(2a)(3a)に、前記直線に沿って延びた一対の凹部(2b)(3b)又は一対の切欠き部(2c)(3c)が形成されており、両かごドア(２)(３)が全閉状態のときに、光ビームを通過させるための通路(105)が該一対の凹部(2b)(3b)又は一対の切欠き部(2c)(3c)によって形成される。【００４０】
上記第３のエレベータの安全装置によれば、乗りかごの乗降口に異物が存在しない場合、両かごドア(２)(３)が全閉直前状態から全閉状態へ移動する過程で、投光／受光ユニット(４)から出射される光ビームは反射部材(50)により反射されて投光／受光ユニット(４)に入射する。
従って、両かごドア(２)(３)が閉じる過程で投光／受光ユニット(４)による光ビームの検知が中断されることはなく、異物検知信号は生成されない。【００４１】
これに対し、乗降口を通過して、紐状の異物が存在する場合、両かごドア(２)(３)が全閉状態に達したときに投光／受光ユニット(４)から出射される光ビームが該異物によって遮られるので、投光／受光ユニット(４)による光ビームの検知が中断され、その結果、異物検知信号が生成される。【００４２】
又、投光／受光ユニット(４)はフレーム(81)に配備されているので、かごドア(２)(３)の開閉時に発生する振動や乗りかごに加えられた衝撃等による影響、具体的には入射光ビームの受光量の変動や光ビームの照射位置のずれ等を回避することができ、以って異物の検知精度を高めることが出来る。同様に、反射部材(50)は敷居(82)に配備されているので、かごドアの開閉時に発生する振動や乗りかごに加えられた衝撃等による影響を回避することが出来る。【００４３】
具体的構成において、前記反射部材(50)は前記敷居(82)の下方に配備され、該敷居(82)には、前記光ビームが通過する貫通孔(821)が形成されている。
該具体的構成によれば、利用客からは反射部材(50)の存在が認識されにくくなるので、いたずらを防止することができる。又、反射部材(50)の反射面が汚れにくくなる。【００４４】
又、具体的な構成において、前記敷居(82)及び前記かごドア(３)には、前記反射部材(50)の表面を清掃する清掃機構(７)が配備されており、該清掃機構(７)は、該反射部材(50)の表面に沿ってスライド可能であると共にかごドア(３)の開方向或いは閉方向にばね付勢された清掃具(71)と、前記かごドア(３)が閉じる過程或いは開く過程で該清掃具(71)をばね付勢に抗して押圧する押圧部(32)とから構成されている。
該具体的構成によれば、かごドア(３)が閉じる過程で、押圧部(32)が、ばね付勢に抗して清掃具(71)を閉方向に押圧することにより、清掃具(71)は閉方向に移動して反射部材(50)の表面を清掃する。一方、かごドア(３)が開く過程では、清掃具(71)は、ばね付勢によって開方向に移動して再び反射部材(50)の表面を清掃する。
或いは、かごドア(３)が開く過程で、押圧部(32)が、ばね付勢に抗して清掃具(71)を閉方向に押圧することにより、清掃具(71)は閉方向に移動して反射部材(50)の表面を清掃する。一方、かごドア(３)が閉じる過程では、清掃具(71)は、ばね付勢によって閉方向に移動して再び反射部材(50)の表面を清掃する。
従って、両かごドア(２)(３)が開閉する度に清掃具(71)によって反射部材(50)の表面が清掃されるので、反射部材(50)の表面が常に良好な反射面に維持される。【００４５】
本発明に係る第４のエレベータの安全装置は、互いに接近離間する方向に移動して前記乗降口を開閉する一対のかごドア(２)(３)と、乗降口の上方に配備されるフレーム(81)とを具えたエレベータの安全装置であって、前記フレーム(81)には、前記一対のかごドア(２)(３)が全閉状態にて互いに当接する当接位置を上下に延びる直線上の位置に、下方へ向けて投光／受光ユニット(４)が配備され、一方のかごドア(３)には、他方のかごドア(２)と当接すべき閉方向端面(３a)の下端位置に、反射部材(50)が上方に向けて配備され、前記投光／受光ユニット(４)は光ビームの出射と入射光ビームの検知が可能である。【００４６】
前記投光／受光ユニット(４)は、両かごドア(２)(３)が閉じる過程で光ビームの検知が中断されたとき、異物検知信号を生成する。
この結果、異物の存在が認識され、両かごドア(２)(３)の閉じ動作が中止される。【００４７】
尚、具体的構成において、前記反射部材(50)は、前記一方のかごドア(３)が摺動可能に嵌まる敷居(82)の溝(83)の内部に、該溝(83)に沿って移動可能に保持されている。【００４８】
又、前記一対のかごドア(２)(３)には、全閉状態にて互いに当接すべき閉方向端面(2a)(3a)に、前記直線に沿って延びた一対の凹部(2b)(3b)又は一対の切欠き部(2c)(3c)が形成されており、両かごドア(２)(３)が全閉状態のときに、光ビームを通過させるための通路(105)が該一対の凹部(2b)(3b)又は一対の切欠き部(2c)(3c)によって形成される。【００４９】
上記第４のエレベータの安全装置によれば、乗降口を通過して、紐状の異物が存在する場合、両かごドア(２)(３)が全閉状態に達したときに投光／受光ユニット(４)から出射される光ビームが該異物によって遮られるので、投光／受光ユニット(４)による光ビームの検知が中断され、その結果、異物検知信号が生成される。【００５０】
又、投光／受光ユニット(４)はフレーム(81)に配備されているので、かごドア(２)(３)の開閉時に発生する振動や乗りかごに加えられた衝撃等による影響、具体的には入射光ビームの受光量の変動や光ビームの照射位置のずれ等を回避することができ、以って異物の検知精度を高めることが出来る。【００５１】
更に具体的な構成において、前記敷居(82)の溝(83)の内部には、両かごドア(２)(３)が閉じる過程で前記反射部材(50)の表面を清掃する、清掃具(77)が取り付けられている。
該具体的構成によれば、両かごドア(２)(３)が閉じる度に、清掃具(77)によって反射部材(50)の表面が清掃されるので、反射部材(50)の表面が常に良好な反射面に維持される。【００５２】
本発明に係る第５のエレベータの安全装置は、戸当たりフレーム(84)に対して接近離間する方向に移動して乗降口を開閉する少なくとも１つのかごドア(23)を具えたエレベータの安全装置であって、前記戸当たりフレーム(84)には、前記かごドア(23)が当接すべき端面(84a)からかごドア(23)側へ所定の距離だけ離れた位置を上下に延びる直線上の上端位置に、下方へ向けて投光／受光ユニット(４)が配備される一方、該直線上の下端位置には、上方へ向けて第１反射部材(61)が配備され、前記投光／受光ユニット(４)は光ビームの出射と入射光ビームの検知が可能である。【００５３】
前記かごドア(23)には、かごドア(23)が閉じた状態で前記投光／受光ユニット(４)が収容される収容空間(30)が形成され、該収容空間(30)の底部には、上方へ向けて第２反射部材(62)が配備され、該第２反射部材(62)は、前記戸当たりフレーム(84)と当接すべき前記かごドア(23)の閉方向端面(23a)と同じ位置から前記収容空間(30)の奥方へ向かって延びている。【００５４】
前記投光／受光ユニット(４)は、前記かごドア(23)が閉じる過程で光ビームの検知が中断されたとき、異物検知信号を生成する。
この結果、異物の存在が認識され、かごドア(23)の閉じ動作が中止される。【００５５】
尚、具体的構成において、前記第１反射部材(61)は、前記かごドア(23)が摺動可能に嵌まる敷居(86)の溝(87)の内部に保持されている。【００５６】
上記第５のエレベータの安全装置によれば、乗りかごの乗降口に異物が存在しない場合、かごドア(23)が全開状態から全閉状態へ移動する過程で、投光／受光ユニット(４)が収容空間(30)に突入するまでは、投光／受光ユニット(４)から出射される光ビームは第１反射部材(61)により反射されて投光／受光ユニット(４)に入射し、投光／受光ユニット(４)が収容空間(30)に突入した後は、投光／受光ユニット(４)から出射される光ビームは第２反射部材(62)により反射されて投光／受光ユニット(４)に入射する。
従って、かごドア(23)が閉じる過程で投光／受光ユニット(４)による光ビームの検知が中断されることはなく、異物検知信号は生成されない。【００５７】
これに対し、乗降口を通過して、紐状の異物が存在する場合、かごドア(23)が閉じる過程で投光／受光ユニット(４)から出射される光ビームが該異物によって遮られるので、投光／受光ユニット(４)による光ビームの検知が中断され、その結果、異物検知信号が生成される。【００５８】
又、投光／受光ユニット(４)は戸当たりフレーム(84)に配備されているので、かごドア(23)の開閉時に発生する振動や乗りかごに加えられた衝撃等による影響、具体的には入射光ビームの受光量の変動や光ビームの照射位置のずれ等を回避することができ、以って異物の検知精度を高めることが出来る。同様に、第１反射部材(61)は戸当たりフレーム(84)の下端位置に配備されているので、かごドア(23)の開閉時に発生する振動や乗りかごに加えられた衝撃等による影響を回避することが出来る。【００５９】
具体的構成において、前記かごドア(23)には、該かごドア(23)に対して相対移動するセーフティシューフレーム(29)が取り付けられ、前記戸当たりフレーム(84)の端面(84a)には、前記直線に沿って延びた突出部材(94)が形成されており、該突出部材(94)は、該端面(84a)からの突出長さが前記所定の距離よりも短く、該直線の位置に対してセーフティシューフレーム(29)側に位置すると共に、前記かごドア(23)が閉じる過程でセーフティシューフレーム(29)と重なる。
該具体的構成によれば、乗降口を通過して、紐状の異物が存在する場合、突出部材(94)が、かごドア(23)が閉じる過程でセーフティシューフレーム(29)と重なることによって、該異物の一部分をセーフティシューフレーム(29)との間に挟み込み、そして該一部分を閉方向に沿わせようとする。従って、異物は、突出部材(94)の先端からかごドア(23)の閉方向端面(23a)側に押し出される。その結果、投光／受光ユニット(４)から出射される光ビームが該異物によって遮られることとなる。【００６０】
又、具体的な構成において、前記戸当たりフレーム(84)の下端部には、該戸当たりフレームの端面(84a)よりも前記かごドア(23)側へ突出する異物押出し部材(93)が配備されている。
該具体的構成によれば、異物押出し部材(93)によって、異物が戸当たりフレーム(84)の端面(84a)よりも前方へ押し出されるので、光ビームは必ず異物によって遮られ、この結果、紐状の異物を確実に検知することが出来る。【００６１】
又、具体的な構成において、前記かごドア(23)には、該かごドア(23)が閉じる過程で前記第１反射部材(61)の表面を清掃する、清掃具(78)が取り付けられている。
該具体的構成によれば、かごドア(23)が閉じる度に、清掃具(78)によって第１反射部材(61)の表面が清掃されるので、第１反射部材(61)の表面が常に良好な反射面に維持される。【００６２】
又、具体的な構成において、前記戸当たりフレーム(84)には、前記投光／受光ユニット(４)よりも前記かごドア(23)側に清掃具(79)が取り付けられ、該清掃具(79)は、該かごドア(23)が閉じる過程で前記第２反射部材(62)の表面を清掃する。
該具体的構成によれば、かごドア(23)が閉じる度に、清掃具(79)によって第２反射部材(62)の表面が清掃されるので、第２反射部材(62)の表面が常に良好な反射面に維持される。【００６３】
更に具体的な構成において、安全装置は、前記かごドア(23)は全開状態から第１の全閉直前状態及び第２の全閉直前状態を経て全閉状態まで閉じるものであって、該かごドア(23)が第１の全閉直前状態から第２の全閉直前状態まで閉じる過程の所定時点でオフからオンとなる検知手段を具え、
前記第２反射部材(62)は、前記かごドア(23)が第１の全閉直前状態から第２の全閉直前状態まで閉じる過程では前記投光／受光ユニット(４)から出射される光ビームを反射する一方、前記かごドア(23)が第２の全閉直前状態から全閉状態に達する過程では前記投光／受光ユニット(４)から出射される光ビームを殆ど反射しない構成を有する。
制御ユニット(100)は、前記検知手段がオンとなった後に異物検知信号が生成されないとき、投光／受光ユニット(４)に異常が発生したものと判断する。【００６４】
該具体的構成によれば、かごドア(23)が第１の全閉直前状態まで閉じると、投光／受光ユニット(４)から出射された光ビームが第２反射部材(62)によって反射され、投光／受光ユニット(４)に戻って来ることになる。このとき、検知手段はオフである。その後、かごドア(23)が第２の全閉直前状態まで閉じる過程で、投光／受光ユニット(４)から出射された光ビームが第２反射部材(62)の反射部(621)によって反射されて投光／受光ユニット(４)に一定以上の光量で戻って来ると共に、所定時点で検知手段がオンとなる。かごドア(23)が第２の全閉直前位置から更に閉じると、投光／受光ユニット(４)から出射された光ビームは第２反射部材(62)によって反射されず、投光／受光ユニット(４)には一定以上の光量では戻って来ないので、異物検知信号が生成される。このとき、検知手段はオンのままである。従って、投光／受光ユニット(４)が正常に動作している限り、全閉状態では、検知手段がオンとなり、且つ異物検知信号が生成されることとなる。【００６５】
ところが、投光／受光ユニット(４)に何らかの異常が発生していると、全閉状態では、検知手段はオンとなるが、異物検知信号は生成されないこととなる。そこで、検知手段がオンとなった後に異物検知信号が生成されないときは、投光／受光ユニット(４)に何らかの異常が発生していると判断することが出来る。【００６６】
本発明に係る第６のエレベータの安全装置は、戸当たりフレーム(84)に対して接近離間する方向に移動して乗降口を開閉する少なくとも１つのかごドア(23)を具えたエレベータの安全装置であって、前記戸当たりフレーム(84)には、前記かごドア(23)が全閉状態にて当接する当接位置を上下に延びる直線上の上端位置に、下方へ向けて投光／受光ユニット(４)が配備される一方、該直線上の下端位置には、上方へ向けて反射部材(61)が配備され、前記投光／受光ユニット(４)は光ビームの出射と入射光ビームの検知が可能である。【００６７】
かごドア(23)が当接すべき戸当たりフレーム(84)の端面(84a)と、戸当たりフレーム(84)と当接すべきかごドア(23)の閉方向端面(23a)には、前記直線に沿って延びた一対の凹部(84b)(23b)又は一対の切欠き部(84c)(23c)が形成されており、前記かごドア(23)が全閉状態のときに、光ビームを通過させるための通路(115)が該一対の凹部(84b)(23b)又は一対の切欠き部(84c)(23c)によって形成される。【００６８】
前記投光／受光ユニット(４)は、前記かごドア(23)が閉じる過程で光ビームの検知が中断されたとき、異物検知信号を生成する。
この結果、異物の存在が認識され、かごドア(23)の閉じ動作が中止される。【００６９】
尚、具体的構成において、前記反射部材(61)は、前記かごドア(23)が摺動可能に嵌まる敷居(86)の溝(87)の内部に保持されている。【００７０】
上記第６のエレベータの安全装置によれば、乗りかごの乗降口に異物が存在しない場合、かごドア(23)が全開状態から全閉状態へ移動する過程で、投光／受光ユニット(４)から出射される光ビームは反射部材(61)により反射されて投光／受光ユニット(４)に入射する。従って、かごドア(23)が閉じる過程で投光／受光ユニット(４)による光ビームの検知が中断されることはなく、異物検知信号は生成されない。【００７１】
これに対し、乗降口を通過して、紐状の異物が存在する場合、かごドア(23)が全閉状態に達したときに投光／受光ユニット(４)から出射される光ビームが該異物によって遮られるので、投光／受光ユニット(４)による光ビームの検知が中断され、その結果、異物検知信号が生成される。【００７２】
又、投光／受光ユニット(４)は戸当たりフレーム(84)に配備されているので、かごドア(23)の開閉時に発生する振動や乗りかごに加えられた衝撃等による影響、具体的には入射光ビームの受光量の変動や光ビームの照射位置のずれ等を回避することができ、以って異物の検知精度を高めることが出来る。同様に、反射部材(61)は戸当たりフレーム(84)の下端位置に配備されているので、かごドアの開閉時に発生する振動や乗りかごに加えられた衝撃等による影響を回避することが出来る。【００７３】
具体的構成において、前記かごドア(23)には、該かごドア(23)が閉じる過程で前記反射部材(61)の表面を清掃する、清掃具が取り付けられている。
該具体的構成によれば、かごドア(23)が閉じる度に、清掃具によって反射部材(61)の表面が清掃されるので、反射部材(61)の表面が常に良好な反射面に維持される。【００７４】
上記第３乃至第６のエレベータの安全装置の具体的構成において、前記投光／受光ユニット(４)による光ビームの出射は、前記かごドアが全閉直前状態から全閉状態まで閉じる過程で実行される。
該具体的構成によれば、全閉直前状態から光ビームを出射することにより、光ビームの出射時に人が投光／受光ユニット(４)を覗き込むことを防止することができる。【００７５】
更に具体的な構成において、前記かごドアの下端部には、該かごドアの閉方向端面の下端と敷居の表面との間に形成される隙間を塞ぐ、異物侵入防止部材(91)(92)が取り付けられている。
該具体的構成によれば、異物侵入防止部材(91)(92)によって、紐状の異物がかごドアの閉方向端面の下端と敷居の表面との間に形成される隙間に侵入することが防止されるので、かごドアが閉じる過程で紐状の異物を確実に検知することが出来る。【００７６】
上記第１乃至第６のエレベータの安全装置の他の具体的構成において、該安全装置は、反転戸開き手段と、強制戸閉め手段と、報知手段とを具えている。反転戸開き手段は、前記かごドアが閉じる過程で異物検知信号が生成された場合に、その動作を反転させて該かごドアを開く反転戸開き動作を実行する。強制戸閉め手段は、前記反転戸開き手段による反転戸開き動作を無効にして、異物検知信号の生成の有無に拘わらず強制的に前記かごドアの戸閉め動作を実行する。報知手段は、前記強制戸閉め手段による強制戸閉め動作の実行前に、又は、前記強制戸閉め手段による強制戸閉め動作の実行に並行して、該強制戸閉め動作の実行を報知する。【００７７】
かごドアの戸閉め動作の開始後、該戸閉め動作が完了しなかった場合には、乗降口を通過して紐状の異物が存在しているのとは別の事情が原因となって、かごドアの戸閉め動作を完了することが出来ない可能性が高い。そこで、上記具体的構成においては、強制戸閉め手段により強制的にかごドアの戸閉め動作を実行する。この様に強制戸閉め動作が実行された場合でも、上記具体的構成によれば、該強制戸閉め動作の実行が報知手段により報知されるので、強制戸閉め動作の実行による事故の発生が防止されることになる。【００７８】
より具体的な構成において、上記安全装置は更に、乗りかご制御手段と、第２の報知手段とを具えている。乗りかご制御手段は、前記強制戸閉め手段による強制戸閉め動作の完了後に乗りかごの走行を開始させる。第２の報知手段は、前記強制戸閉め手段による強制戸閉め動作の実行中に異物検知信号が生成された場合、前記乗りかご制御手段により乗りかごの走行が開始される前に乗りかごの走行開始を報知する。
【発明の効果】
【００７９】
本発明に係るエレベータの安全装置によれば、従来のかごドアに大きな改変を加えることなく、単に投光／受光ユニットと反射部材を配備した簡易な構成により、紐状の異物をその位置に拘わらず常に確実に検知することが出来る。
【図面の簡単な説明】
【００８０】
【図１】図１は、本発明の実施の形態に係る第１のエレベータの全開状態を示す正面図である。
【図２】図２は、該エレベータの全閉状態を示す正面図である。
【図３】図３は、該エレベータにおける投光／受光ユニットの取り付け状態を示す斜視図である。
【図４】図４は、該エレベータにおける第１反射部材の取り付け状態を示す斜視図である。
【図５】図５は、該エレベータにおける第２反射部材の取り付け状態を示す斜視図である。
【図６】図６は、該エレベータにおける異物侵入防止部材の取り付け状態を示す斜視図である。
【図７】図７は、該エレベータにおける清掃具の取り付け状態を示す斜視図である。
【図８】図８は、該エレベータにおける第１反射部材と清掃具の位置関係を示す斜視図である。
【図９】図９は、本発明の実施の形態に係る第２のエレベータの全開状態を示す正面図である。
【図１０】図１０は、該エレベータの全閉状態を示す正面図である。
【図１１】図１１は、該エレベータにおける投光／受光ユニットの取り付け状態を示す斜視図である。
【図１２】図１２は、該エレベータにおける第１反射部材の取り付け状態を示す斜視図である。
【図１３】図１３は、該エレベータにおける第２反射部材の取り付け状態を示す斜視図である。
【図１４】図１４は、該エレベータにおける清掃具の取り付け状態を示す斜視図である。
【図１５】図１５は、オーバトラベルが有る場合における光ビームの配置例を示す水平断面図である。
【図１６】図１６は、オーバトラベルが無い場合における光ビームの配置例を示す水平断面図である。
【図１７】図１７は、投光／受光ユニットの故障検知を行なう実施形態における全開状態を示す正面図及びその一部を拡大した図である。
【図１８】図１８は、該実施形態における第１の全閉直前状態を示す正面図及びその一部を拡大した図である。
【図１９】図１９は、該実施形態においてゲートスイッチがオンとなる時点の状態を示す正面図及びその一部を拡大した図である。
【図２０】図２０は、該実施形態における第２の全閉直前状態を示す正面図及びその一部を拡大した図である。
【図２１】図２１は、該実施形態における制御ユニットの制御手続きを示すフローチャートである。
【図２２】図２２は、紐検知動作例の前半を示す一連の水平断面図である。
【図２３】図２３は、該紐検知動作例の後半を示す一連の水平断面図である。
【図２４】図２４は、他の紐検知動作例の前半を示す一連の水平断面図である。
【図２５】図２５は、該紐検知動作例の後半を示す一連の水平断面図である。
【図２６】図２６は、他の紐検知動作例の前半を示す一連の水平断面図である。
【図２７】図２７は、該紐検知動作例の後半を示す一連の水平断面図である。
【図２８】図２８は、他の紐検知動作例の前半を示す一連の水平断面図である。
【図２９】図２９は、該紐検知動作例の後半を示す一連の水平断面図である。
【図３０】図３０は、更に他の紐検知動作例の前半を示す一連の水平断面図である。
【図３１】図３１は、該紐検知動作例の後半を示す一連の水平断面図である。
【図３２】図３２は、本発明に係るエレベータに対する改良構造の一例を示す正面図である。
【図３３】図３３は、該一例の鉛直断面図である。
【図３４】図３４は、改良構造の他の例を示す正面図である。
【図３５】図３５は、該他の例の水平断面図である。
【図３６】図３６は、改良構造の他の例を示す正面図である。
【図３７】図３７は、該他の例の鉛直断面図である。
【図３８】図３８は、改良構造の更に他の例を示す水平断面図である。
【図３９】図３９は、第２反射部材を清掃すべき清掃具の取り付け状態を示す斜視図である。
【図４０】図４０は、第１反射部材の損傷を防止するための構成例を説明する図である。
【図４１】図４１は、第１反射部材の損傷を防止するための他の構成例を説明する図である。
【図４２】図４２は、第１反射部材の損傷を防止するための更に他の構成例を示す斜視図である。
【図４３】図４３は、本発明の実施の形態に係る第３のエレベータの全開状態を示す正面図である。
【図４４】図４４は、該エレベータの全閉状態を示す正面図である。
【図４５】図４５は、該エレベータにおける投光／受光ユニットの取り付け状態を示す斜視図である。
【図４６】図４６は、該エレベータにおける投光／受光ユニットの取り付け状態を示す正面図である。
【図４７】図４７は、該エレベータにおける反射部材及び清掃機構の取り付け状態を上方から見た斜視図である。
【図４８】図４８は、該エレベータにおける反射部材及び清掃機構の取り付け状態を示す正面図である。
【図４９】図４９は、該エレベータにおける反射部材及び清掃機構の取り付け状態を下方から見た斜視図である。
【図５０】図５０は、全閉状態での該清掃機構の動作状態を示す斜視図である。
【図５１】図５１は、該エレベータにおける両かごドアの閉方向端面の形状を示す水平断面図である。
【図５２】図５２は、該エレベータにおける両かごドアの閉方向端面の他の形状を示す水平断面図である。
【図５３】図５３は、該エレベータにおける異物侵入防止部材の取り付け状態を示す正面図である。
【図５４】図５４は、異物侵入防止部材を拡大した図である。
【図５５】図５５は、該エレベータにおける異物侵入防止部材の取り付け状態を下方から見た斜視図である。
【図５６】図５６は、紐検知動作例を示す水平断面図である。
【図５７】図５７は、他の紐検知動作例を示す水平断面図である。
【図５８】図５８は、該エレベータにおける制御ユニットの制御手続きを示すフローチャートである。
【図５９】図５９は、本発明の実施の形態に係る第４のエレベータの全開状態を示す正面図である。
【図６０】図６０は、該エレベータの全閉状態を示す正面図である。
【図６１】図６１は、該エレベータにおける反射部材の取り付け状態を示す斜視図である。
【図６２】図６２は、該エレベータにおける反射部材及び清掃具の取り付け状態を示す正面図である。
【図６３】図６３は、該エレベータにおける清掃具の取り付け状態を示す鉛直断面図である。
【図６４】図６４は、全閉状態での反射部材と清掃具との位置関係を示す斜視図である。
【図６５】図６５は、本発明の実施の形態に係る第５のエレベータの全開状態を示す正面図である。
【図６６】図６６は、該エレベータの全閉状態を示す正面図である。
【図６７】図６７は、該エレベータにおける投光／受光ユニットの取り付け状態を示す斜視図である。
【図６８】図６８は、該エレベータにおける第１反射部材の取り付け状態を示す斜視図である。
【図６９】図６９は、該エレベータにおける第１反射部材の取り付け状態を示す正面図である。
【図７０】図７０は、該エレベータにおける第２反射部材の取り付け状態を示す斜視図である。
【図７１】図７１は、該エレベータにおける清掃具の取り付け状態を示す斜視図である。
【図７２】図７２は、全閉状態での第１反射部材と清掃具との位置関係を示す斜視図である。
【図７３】図７３は、紐検知動作例を示す一連の水平断面図である。
【図７４】図７４は、他の紐検知動作例を示す一連の水平断面図である。
【図７５】図７５は、該エレベータに対する改良構造の一例を示す斜視図である。
【図７６】図７６は、該一例の正面図である。
【図７７】図７７は、該一例のエレベータにおける紐検知動作を示す一連の水平断面図である。
【図７８】図７８は、該エレベータに対する改良構造の他の例を示すと共に、該他の例のエレベータにおける紐検知動作を示す一連の水平断面図である。
【図７９】図７９は、該エレベータに対する改良構造の更なる他の例を示すと共に、該他の例のエレベータにおける紐検知動作を示す一連の水平断面図である。
【図８０】図８０は、投光／受光ユニットの故障検知を行なう実施形態における全開状態を示す正面図である。
【図８１】図８１は、該実施形態における第１の全閉直前状態を示す斜視図である。
【図８２】図８２は、該実施形態においてゲートスイッチがオンとなる時点の状態を示す斜視図である。
【図８３】図８３は、該実施形態における第２の全閉直前状態を示す斜視図である。
【図８４】図８４は、本発明の実施の形態に係る第６のエレベータの要部の一例を示す水平断面図である。
【図８５】図８５は、該エレベータの要部の他の例を示す水平断面図である。
【図８６】図８６は、紐検知動作例を示す水平断面図である。
【図８７】図８７は、他の紐検知動作例を示す水平断面図である。
【発明を実施するための形態】
【００８１】
以下、本発明の実施の形態につき、図面に沿って具体的に説明する。
第１の実施の形態
本発明の実施の形態に係る第１のエレベータは、図１及び図２に示す如く、乗りかごの乗降口を開閉する左右一対のかごドア(２)(３)を具えたセンターオープンタイプのエレベータであって、乗降口上方のフレーム(102)にレール(１)が固定され、両かごドア(２)(３)はそれぞれ、ハンガー(21)(31)によってレール(１)に吊り下げられると共に、ドア下端部に突設されたガイドシュー(22)(32)が敷居(82)に摺動可能に嵌まって、水平方向の往復移動が案内されている。
又、フレーム(102)上には、両かごドア(２)(３)の開閉動作を制御する制御ユニット(100)が設置されている。
【００８２】
左側のかごドア(２)には、図１の如く、右側のかごドア(３)と当接すべき閉方向端面(2a)から右側のかごドア(３)側へ所定距離(例えば１２ｍｍ)だけ離れた鉛直線上の上端位置に、鉛直下方へ向けて投光／受光ユニット(４)が配備される一方、前記鉛直線上の下端位置には、鉛直上方へ向けて第１反射部材(５)が配備されている。
【００８３】
投光／受光ユニット(４)は、レーザ光のビーム(以下、光ビームという)Ｂを出射すべき投光器と入射してくる光ビームＢを検知すべき受光器とを一体に具えたものであって、図３に示す如くかごドア(２)の閉方向端面(2a)に固定されたステー(41)によって支持されている。
尚、投光／受光ユニット(４)の投光器としては例えば赤色半導体レーザを採用し、これによって直径１〜２ｍｍのスポットを形成する。投光／受光ユニット(４)の受光器は、入射光ビームによる受光量が所定の閾値を越えたとき、光検知信号を出力する。これに対し、入射光ビームによる受光量が所定の閾値を下回ったときは、異物検知信号を出力する。
【００８４】
第１反射部材(５)は、図４に示す如く、左側のかごドア(２)の下端面に突設されたＬ字状のアーム部材(51)の水平アーム部に設けられており、光ビームＢを鉛直上方へ反射する反射面を有している。該アーム部材(51)は、かごドア(２)のガイドシューが嵌まる敷居(82)の溝(83)の内部に、往復移動可能に収容されている。
尚、アーム部材(51)は、図８に示すステー(52)を介して左側のかごドア(２)に支持されている。ここで、ステー(52)はかごドア(２)に対してドア開閉方向の位置調節が可能に取り付けられ、アーム部材(51)はステー(52)に対してドア開閉方向とは直交する前後方向の位置調節が可能に取り付けられている。
【００８５】
右側のかごドア(３)の上端部には、図５に示す如く、両かごドアが閉じた状態で前記投光／受光ユニットを収容すべき収容空間(30)が形成され、該収容空間(30)の底部には、鉛直上方へ向けて第２反射部材(６)が配備されている。該第２反射部材(６)は、右側のかごドア(３)の閉方向端面(3a)と同じ位置から収容空間(30)の奥方へ延びる所定長さ(例えば８ｍｍ)の反射面を有し、収容空間(30)に侵入した投光／受光ユニットからの光ビームを鉛直上方へ反射する。
【００８６】
図６に示す如く、右側のかごドア(３)の下端部には、該かごドア(３)の閉方向端面(3a)と敷居(82)の表面との間に形成される隙間を埋める異物侵入防止部材(９)が下向きに突設されており、該異物侵入防止部材(９)の下端部は、敷居(82)の溝(83)に往復移動可能に収容されている。
【００８７】
更に、右側のかごドア(３)の下端部には、異物侵入防止部材(９)の後方位置に、図７の如く取付金具(702)が固定され、該取付金具(702)によってブラシからなる清掃具(70)が下向きに支持されている。
図２の如く両かごドア(２)(３)が全閉位置まで閉じる過程で、前記清掃具(70)が、左側のかごドア(２)に配備されている第１反射部材(５)の表面を清掃する(図８参照)。これによって、第１反射部材(５)の表面は常に良好な反射面に維持される。
【００８８】
尚、投光／受光ユニット(４)が鉛直下方に向き、第１反射部材(５)及び第２反射部材(６)が鉛直上方を向いている取り付け状態は、投光／受光ユニット(４)の構成(発光器及び受光器の配置等)やかごドアの設置姿勢のばらつき等に応じ、鉛直線に対して僅かな傾斜を有する取り付け状態をも含むものとする。
【００８９】
図１５は、乗りかごの乗降口を形成する出入口柱(20)の端面を基準とするかごドア(２)の全開位置における閉方向端面の後退距離、即ちオーバトラベルＴが存在する場合における光ビームＢの配置例を表わしており、図１５(ａ)に示す戸開状態での待機中では、光ビームＢが乗降口の幅の外側に位置し、図１５(ｂ)に示す戸閉中では、かごドア(２)の端縁とセーフティシューフレーム(27)の端縁とを結んだ線の内側に位置する様に、光ビームＢを配置する。
【００９０】
又、図１６は、オーバトラベルが無い場合における光ビームＢの配置例を表わしており、図１６(ａ)に示す戸開状態での待機中では、かごドア(２)の端縁とセーフティシューフレーム(27)の端縁とを結んだ線の外側に位置し、図１６(ｂ)に示す戸閉中では、かごドア(２)の端縁とセーフティシューフレーム(27)の端縁とを結んだ線の内側に位置する様に、光ビームＢを配置する。
【００９１】
上記第１のエレベータにおいては、両かごドア(２)(３)が全開状態から全閉直前状態まで閉じる過程で、投光／受光ユニット(４)から出射された光ビームＢは、その進路に異物が存在しない限り、第１反射部材(５)へ入射して反射され、反射光ビームＢは投光／受光ユニット(４)へ戻ることなる。
その後、両かごドア(２)(３)が全閉直前状態から全閉状態まで閉じる過程で、投光／受光ユニット(４)は右側のかごドア(３)に形成されている収容空間(30)に侵入し、これによって、投光／受光ユニット(４)から出射された光ビームＢは第２反射部材(６)へ入射して反射され、反射光ビームＢは投光／受光ユニット(４)へ戻ることになる。
【００９２】
即ち、両かごドア(２)(３)が全開状態から全閉状態まで閉じる過程で、投光／受光ユニット(４)から出射された光ビームＢは、その進路に異物が存在しない限り、第１反射部材(５)又は第２反射部材(６)によって反射され、投光／受光ユニット(４)へ戻ってくることになる。
【００９３】
投光／受光ユニット(４)は、光ビームが検知されているときは異物検知信号を生成しない。そして、制御ユニット(100)は、両かごドア(２)(３)が全開状態から全閉状態まで閉じる過程で投光／受光ユニット(４)によって異物検知信号が生成されない限り、両かごドア(２)(３)の閉じ動作を継続する。
これに対し、投光／受光ユニット(４)は、光ビームの検知が中断されたとき、異物検知信号を生成し、制御ユニット(100)へ出力する。これに応じて、制御ユニット(100)は、両かごドア(２)(３)を閉じ動作から開き動作に反転させる。
【００９４】
図２２及び図２３は、乗りかごの乗降口の中央部を通過して乗りかごの内部と乗り場フロアの間に紐Ｓが張られている状態で、両かごドア(２)(３)が閉じるときの一連の動作を表わしている。
図２２(ａ)(ｂ)(ｃ)の如く両かごドア(２)(３)が全開状態から全閉直前状態まで閉じていく過程で、光ビームＢは徐々に紐Ｓに接近し、更に図２３(ａ)(ｂ)(ｃ)の如く両かごドア(２)(３)が全閉直前状態から全閉状態まで閉じる過程で、光ビームＢは紐Ｓを横切ることになる。このとき投光／受光ユニット(４)による光ビームの検知が中断するので、異物検知信号が生成される。
【００９５】
図２４及び図２５は、左側のかごドア(２)にセーフティシューフレーム(27)が配備されているエレベータにおいて、左側のかごドア(２)とセーフティシューフレーム(27)に接触して乗りかごの内部と乗り場フロアの間に紐Ｓが張られている状態で、両かごドア(２)(３)が閉じるときの一連の動作を表わしている。
図２４(ａ)(ｂ)(ｃ)の如く両かごドア(２)(３)が全開状態から全閉直前状態まで閉じていく過程で、最初は紐Ｓが光ビームＢと左側のかごドア(２)の間に位置しているが、戸閉動作の進行に伴って紐Ｓは光ビームＢと交叉する位置まで移動し、その後、図２５(ａ)(ｂ)(ｃ)の如く両かごドア(２)(３)が全閉直前状態から全閉状態まで閉じる過程で、光ビームＢは紐Ｓの外側へ移行することになる。この過程で、光ビームＢが紐Ｓを横切るとき、投光／受光ユニット(４)による光ビームの検知が中断するので、異物検知信号が生成される。
【００９６】
図２６及び図２７は、両かごドア(２)(３)にそれぞれセーフティシューフレーム(27)(37)が配備されているエレベータにおいて、左側のかごドア(２)とセーフティシューフレーム(27)に接触して乗りかごの内部と乗り場フロアの間に紐Ｓが張られている状態で、両かごドア(２)(３)が閉じるときの一連の動作を表わしている。
図２６(ａ)(ｂ)(ｃ)の如く両かごドア(２)(３)が全開状態から全閉直前状態まで閉じていく過程で、最初は紐Ｓが光ビームＢと左側のかごドア(２)の間に位置しているが、戸閉動作の進行に伴って紐Ｓは光ビームＢと交叉する位置まで移動し、その後、図２７(ａ)(ｂ)(ｃ)の如く両かごドア(２)(３)が全閉直前状態から全閉状態まで閉じる過程で、光ビームＢは紐Ｓの外側へ移行することになる。この過程で、光ビームＢが紐Ｓを横切るとき、投光／受光ユニット(４)による光ビームの検知が中断するので、異物検知信号が生成される。
【００９７】
本発明の実施の形態に係る第２のエレベータは、図９及び図１０に示す如く、乗りかごに固定された戸当たりフレーム(12)に対して接近離間して乗降口を開閉する高速のかごドア(23)と低速のかごドア(33)を具えたサイドオープンタイプのエレベータであって、両かごドア(23)(33)はそれぞれハンガー(24)(34)によってレール(11)に吊り下げられると共に、ドア下端部に突設されたガイドシュー(25)(35)が敷居(86)に摺動可能に嵌まって、水平方向の往復移動が案内されている。
又、フレーム(102)上には、両かごドア(23)(33)の開閉動作を制御する制御ユニット(100)が設置されている。
【００９８】
高速のかごドア(23)には、図９の如く、戸当たりフレームと当接すべき閉方向端面(23a)から戸当たりフレーム(12)側へ所定距離(例えば１２ｍｍ)だけ離れた鉛直線上の上端位置に、鉛直下方へ向けて投光／受光ユニット(４)が配備される一方、前記鉛直線上の下端位置には、鉛直上方へ向けて第１反射部材(５)が配備されている。
【００９９】
投光／受光ユニット(４)は、光ビームＢを出射すべきレーザ投光器と入射してくる光ビームＢを検知すべきレーザ受光器とを一体に具えたものであって、図１１に示す如くかごドア(23)の閉方向端面(23a)に固定されたステー(42)によって支持されている。
【０１００】
第１反射部材(５)は、図１２に示す如く、高速のかごドア(23)の下端面に突設されたＬ字状のアーム部材(51)の水平アーム部に設けられており、光ビームＢを鉛直上方へ反射する反射面を有している。該アーム部材(51)は、かごドア(23)のガイドシューが嵌まる敷居(86)の溝(87)の内部に、往復移動可能に収容されている。
【０１０１】
戸当たりフレーム(12)の上端部には、図１３に示す如く、高速のかごドア(23)が閉じた状態で前記投光／受光ユニットを収容すべき収容空間(30)が形成され、該収容空間(30)の底部には、鉛直上方へ向けて第２反射部材(６)が配備されている。該第２反射部材(６)は、戸当たりフレーム(12)の端面(12a)と同じ位置から収容空間(30)の奥方へ延びる所定長さ(例えば８ｍｍ)の反射面を有し、収容空間(30)に侵入した投光／受光ユニットからの光ビームを鉛直上方へ反射する。
【０１０２】
更に、戸当たりフレーム(12)の下端部には、図１４の如くブラシからなる清掃具(70)が下向きに取り付けられている。
図１０の如く両かごドア(23)(33)が全閉位置まで閉じる過程で、前記清掃具(70)が、高速のかごドア(23)に配備されている第１反射部材(５)の表面を清掃する。これによって、第１反射部材(５)の表面は常に良好な反射面に維持される。
【０１０３】
上記第２のエレベータにおいては、高速のかごドア(23)が全開状態から全閉直前状態まで閉じる過程で、投光／受光ユニット(４)から出射された光ビームＢは、その進路に異物が存在しない限り、第１反射部材(５)へ入射して反射され、反射光ビームＢは投光／受光ユニット(４)へ戻ることなる。
その後、かごドア(23)が全閉直前状態から全閉状態まで閉じる過程で、投光／受光ユニット(４)は戸当たりフレーム(12)に形成されている収容空間(30)に侵入し、これによって  投光／受光ユニット(４)から出射された光ビームＢは第２反射部材(６)へ入射して反射され、反射光ビームＢは投光／受光ユニット(４)へ戻ることになる。
即ち、高速のかごドア(23)が全開状態から全閉状態まで閉じる過程で、投光／受光ユニット(４)から出射された光ビームＢは、その進路に異物が存在しない限り、第１反射部材(５)又は第２反射部材(６)によって反射され、投光／受光ユニット(４)へ戻ってくることになる。
【０１０４】
投光／受光ユニット(４)は、光ビームが検知されるときは、異物検知信号を生成しない。そして、図９及び図１０に示す制御ユニット(100)は、高速のかごドア(23)が全開状態から全閉状態まで閉じる過程で、投光／受光ユニット(４)から異物検知信号が供給されない限り、両かごドア(23)(33)の閉じ動作を継続する。
これに対し、制御ユニット(100)は、高速のかごドア(23)が閉じる過程で投光／受光ユニット(４)から異物検知信号が供給されたとき、両かごドア(23)(33)を閉じ動作から開き動作に反転させる。
【０１０５】
図２８及び図２９は、乗りかごの乗降口よりもやや戸当たりフレーム(12)寄りの位置を通過して乗りかごの内部と乗り場フロアの間に紐Ｓが張られている状態で、高速のかごドア(23)と乗り場ドア(15)が閉じるときの一連の動作を表わしている。
図２８(ａ)(ｂ)の如くかごドア(23)が全開状態から全閉直前状態まで閉じる過程で、光ビームＢは紐Ｓに接近して、紐Ｓと交叉する位置まで移動し、その後、図２９(ａ)(ｂ)の如く光ビームＢは紐Ｓと交叉する位置から戸当たりフレーム(12)側へ移動する。この様にして、光ビームＢが紐Ｓを横切るとき、投光／受光ユニット(４)による光ビームの検知が中断するので、異物検知信号が生成される。
【０１０６】
図３０及び図３１は、高速のかごドア(23)にセーフティシューフレーム(29)が配備されているエレベータにおいて、セーフティシューフレーム(29)と乗り場ドア(15)に接触して乗りかごの内部と乗り場フロアの間に紐Ｓが張られている状態で、かごドア(23)と乗り場ドア(15)が閉じるときの一連の動作を表わしている。
図３０(ａ)(ｂ)(ｃ)の如くかごドア(23)と乗り場ドア(15)が全閉直前状態へ向けて閉じていく過程で、紐Ｓはセーフティシューフレーム(29)によって戸当たりフレーム(12)側へ押し出されるが、その後、図３１(ａ)(ｂ)(ｃ)の如くかごドア(23)と乗り場ドア(15)が全閉直前状態から全閉状態まで閉じる過程で、かごドア(23)の移動に伴って光ビームＢは紐Ｓを横切ることになる。このとき、投光／受光ユニット(４)による光ビームの検知が中断するので、異物検知信号が生成される。
【０１０７】
図１７〜図２０は、サイドオープンタイプのエレベータにおいて投光／受光ユニット(４)の故障を検知するために、ゲートスイッチ(101)からの信号を利用する実施形態を表わしている。
ここで、第２反射部材(６)は、図１８(ｂ)に示す様に、投光／受光ユニット(４)から出射される光ビームを一定以上の光量で反射する反射部(601)と、投光／受光ユニット(４)から出射される光ビームを一定以上の光量では反射しない非反射部(602)とから構成されている。
例えば、非反射部材の表面に反射テープを貼り着けることによって反射部(601)を構成し、反射テープを貼り着けない領域によって非反射部(602)を構成することが出来る。
【０１０８】
図１７(ａ)(ｂ)に示す様に、レール(11)には、ゲートスイッチ(101)が配備される一方、高速のかごドア(23)のハンガー(24)には、ゲートスイッチ(101)をオフからオンに切り替えるための突片(26)が取り付けられている。
図１７(ａ)(ｂ)に示す全開状態では、投光／受光ユニット(４)から出射された光ビームＢは第１反射部材(５)に入射して反射されることになる。光ビームＢは、かごドア(23)の閉方向端面(23a)から１２ｍｍだけ離れた鉛直線に沿って進むことになる。
【０１０９】
図１８(ａ)(ｂ)に示す様に、かごドア(23)の閉方向端面(23a)が戸当たりフレームの端面(12a)の手前１２ｍｍの位置まで閉じたとき(第１の全閉直前状態)、投光／受光ユニット(４)から出射される光ビームＢは、前記第１反射部材(５)に入射していた状態から第２反射部材(６)の反射部(601)に入射する状態に移行し、以後は反射部(601)にて反射された光ビームＢが投光／受光ユニット(４)によって検知されることになる。従って、異物検知信号は生成されない。
この時点で、ゲートスイッチ(101)はオフのままである。
【０１１０】
図１９(ａ)(ｂ)に示す様に、かごドア(23)の閉方向端面(23a)が戸当たりフレームの端面(12a)の手前８ｍｍの位置まで閉じたとき、ゲートスイッチ(101)がオンとなる。このとき、投光／受光ユニット(４)から出射された光ビームＢは依然として第２反射部材(６)の反射部(601)に入射する状態であって、反射部(601)にて反射された光ビームＢが投光／受光ユニット(４)によって検知される。
【０１１１】
更に、図２０(ａ)(ｂ)に示す様に、かごドア(23)の閉方向端面(23a)が戸当たりフレームの端面(12a)の手前４ｍｍの位置まで閉じたとき(第２の全閉直前状態)、投光／受光ユニット(４)から出射された光ビームＢは、第２反射部材(６)の反射部(601)に入射していた状態から非反射部(602)に入射する状態に移行し、その後、かごドア(23)が全閉状態に達するまでの期間、投光／受光ユニット(４)へ光ビームＢが一定以上の光量で入射することはない。この結果、異物検知信号が生成されることになる。
この時点で、ゲートスイッチ(101)はオンのままである。
【０１１２】
従って、投光／受光ユニット(４)が正常に動作している限り、第２の全閉直前状態ではゲートスイッチ(101)がオンとなり、且つ異物検知信号が生成されることになる。この場合、制御ユニット(100)は異物検知信号に拘わらず戸閉動作を継続する。
ところが、投光／受光ユニット(４)に何らかの異常が発生していると、ゲートスイッチ(101)はオンとなるが、異物検知信号は生成されないことになる。そこで、制御ユニット(100)は、ゲートスイッチ(101)がオンとなった後に異物検知信号が供給されないときは、投光／受光ユニット(４)に何らかの異常が発生したものと判断する。
【０１１３】
図２１は、投光／受光ユニット(４)とゲートスイッチ(101)の出力に基づく制御ユニット(100)の制御手続きを表わしている。ステップＳ１では、戸開き完了(全開状態)で待機する。次にステップＳ２では、戸開き開放時間が満了したかどうかを判断し、ノーの場合はステップＳ１に戻って戸開き完了で待機する。
【０１１４】
戸開き開放時間が満了してステップＳ２にてイエスと判断されたときは、ステップＳ３に移行し、異物検知信号の生成によって反転戸開きを所定回数Ｎだけ繰り返した場合、又は、戸開き待機時間が所定時間Ｔに達した場合の何れかに該当するか否かを判断する。即ち、かごドアの戸閉め動作完了の可否を判断する。
【０１１５】
ここでイエスと判断されたときは、乗降口を通過して紐状の異物が存在しているのとは別の事情が原因となって、かごドアの戸閉め動作を完了することが出来ない可能性が高い。そこで、ステップＳ４に移行して、乗りかご内の音声案内システムや、乗りかご内又は乗り場の表示案内システムを利用して、人に対してかごドア(23)(33)から離れるように警告を行なう。その後、反転戸開き動作を無効にして、ブザーの鳴動等を実行させながら、異物検知信号の生成の有無に拘わらず低速での戸閉め動作を強制的に実行する。ここで実行されるブザーの鳴動等は、強制戸閉め動作の実行を報知するためのものである。勿論、この報知は、強制戸閉め動作の実行前に実行されてもよい。
【０１１６】
次に、戸閉め動作の実行中、ステップ４１において投光／受光ユニットによる異物の検出を行なう。ここで、戸閉め動作の実行中に異物検出信号が生成されずにノーと判断されたときはステップＳ４２に移行し、戸閉め完了後、反転戸開き動作を有効にすると共にブザーの鳴動等を停止して、通常の制御動作を再開する。その後、手続きを終了する。
【０１１７】
これに対して、戸閉め動作の実行中に異物検出信号が生成されて、ステップＳ４１においてイエスと判断されたときはステップＳ４３に移行し、戸閉め完了後、乗りかご内の音声案内システムや、乗りかご内又は乗り場の表示案内システムを利用して、乗りかごの走行が開始されることを報知する。尚、音声によって走行開始を報知する場合には、ステップＳ４で警告を行ったときの音声よりも音量を大きくしてもよい。
乗りかごの走行開始を報知している間は、乗りかごの停止状態が維持される。その後、ステップＳ４４において、乗りかご内の戸開釦、又は、乗りかごが停止している停止階での乗り場呼び釦が押された否かを判断する。
【０１１８】
乗りかご内の戸開釦又は乗り場呼び釦が押されて、ステップＳ４４にてイエスと判断されたときは、ステップＳ４７に移行して戸開き動作を行なう。これにより、ステップＳ４にて戸閉め動作を強制的に行ったことにより挟まれた異物を除去することが可能となる。その後、ステップＳ１に戻って、戸開き完了で待機する。
【０１１９】
これに対して、乗りかご内の戸開釦又は乗り場呼び釦が押されず、ステップＳ４４にてノーと判断されたときは、ステップＳ４５に移行し、乗りかご及びかごドアの停止状態を維持したまま、乗りかご内の音声案内システムを利用して乗りかごの走行が開始されることを放送する。そして、放送終了後、所定の時間が経過したか否かを判断する。
【０１２０】
放送終了後に所定の時間が経過してステップＳ４５にてイエスと判断されたときは、ステップＳ４６へ移行し、通常の制御動作を再開する。その後、手続きを終了する。
一方、放送終了後に所定の時間が経過しておらずステップＳ４５にてノーと判断されたときは、ステップＳ４３に戻って、乗りかご及びかごドアの停止状態を維持する。
【０１２１】
この様に、ステップＳ４においてかごドアの戸閉め動作が強制的に実行された場合でも、ステップＳ４では戸閉め動作の実行が報知され、ステップＳ４３では乗りかごの走行開始が報知されるので、戸閉め動作を強制的に実行したことによる事故の発生が防止されることになる。
【０１２２】
ステップＳ３においてノーと判断されたときは、ステップＳ５にて通常の速度(高速)で戸閉動作を行ない、ステップＳ６にて投光／受光ユニットによる異物の検出を行なう。
ここで異物検出信号が生成されたと判断されたときは、乗りかごの搭乗口に何らかの異物(例えば乗りかごと乗り場フロアに跨る紐)が存在するものと推定されるため、ステップＳ７に移行して反転戸開きを行なった後、ステップＳ１に戻って戸開き完了で待機する。
【０１２３】
一方、ステップＳ６にて異物検出信号が生成されなかったと判断されたときは、ステップＳ８へ移行して、ゲートスイッチがオンとなったか否かを判断し、イエスと判断されたときは更にステップＳ９にて投光／受光ユニットによる異物の検出を行なう。ステップＳ８にてノーと判断されたときはステップＳ５に戻る。
【０１２４】
ここで異物検出信号が生成されなかったときは、投光／受光ユニットからの光ビームが第２反射部材の反射部へ入射する状態から非反射部へ入射する状態に移行したにも拘わらず、投光／受光ユニットが光ビームの検出状態から非検出状態に切り替わらなかったものと判断することが出来る。
【０１２５】
そこで、ステップＳ１１へ移行し、投光／受光ユニットに異物を検出できない故障が発生したものと判断して、反転戸開きを行なった後、ステップＳ１に戻って戸開き完了状態で待機する。
これに対し、ステップＳ９にて異物検出信号が生成されたと判断されたときは、ステップＳ１０にて投光／受光ユニットは正常であると判断し、戸閉動作を継続させる。更にステップＳ１２では、反転戸開きの回数をクリアし、ステップＳ１３では、異物を検出できない故障が発生したという判断を解除して、一連の手続きを終了する。
【０１２６】
上述の手続きによれば、従来より戸閉動作の終了を検知するために用いられているゲートスイッチ(101)からのオン／オフ信号を利用して、投光／受光ユニット(４)の故障を検知することが出来る。これによって、乗りかごの乗降口に紐などの異物が存在するにも拘わらず異物検出信号が生成されず、危険回避動作が行なわれないという異常事態を回避することが出来る。
【０１２７】
尚、ゲートスイッチ(101)からのオン／オフ信号に替えて、より全閉状態に近い全閉直前状態を検知することが可能なＣＴＬ信号を利用することも可能である。ゲートスイッチ(101)はドアが閉じたことを検出するスイッチであるのに対し、ＣＴＬはドアの位置を検出するスイッチであって、エレベータには両方のスイッチが装備されている。
例えば、かごドア(23)の閉方向端面(23a)が戸当たりフレーム(12)の端面(12a)の手前４ｍｍまで閉じた時点でＣＴＬ信号がオフからオンに切り替わるので、かごドア(23)の閉方向端面(23a)が戸当たりフレーム(12)の端面(12a)の手前２ｍｍまで閉じた状態で投光／受光ユニット(４)からの光ビームが第２反射部材(６)の反射部(601)から非反射部(602)へ移行する様、反射部(601)の長さを変更する。
【０１２８】
図３２及び図３３は、上記第１及び第２のエレベータに対する改良構造の一例を示している。図示の如く、左側の乗り場ドア(13)の下端部には、該乗り場ドア(13)の閉方向端面(13a)の下端と敷居(82)の表面との間に形成される隙間を塞ぐ異物侵入防止部材(９)が取り付けられている。
これによって、紐Ｓが前記隙間に侵入することが防止され、この結果、紐Ｓを確実に検知することが出来る。
尚、右側の乗り場ドアにも同様に、該乗り場ドアの閉方向端面の下端と敷居の表面との間に形成される隙間を塞ぐ異物侵入防止部材(９)を取り付けることが有効である。
【０１２９】
図３４及び図３５は、上記第１及び第２のエレベータに対する改良構造の他の例を示している。図示の如く、左側のかごドア(２)の下端部には、該かごドア(２)の閉方向端面(2a)の下端と敷居(82)の表面との間に形成される隙間を塞ぐと共に該隙間よりも右側のかごドア側へ突出する位置に、異物押出し部材(90)が取り付けられている。
これによって、紐Ｓはかごドア(２)が閉じる過程で異物押出し部材(90)によって押し出され、この結果、光ビームＢが紐Ｓを横切ることとなって、紐Ｓを確実に検知することが出来る。
【０１３０】
図３６及び図３７は、左側のかごドア(２)にセーフティシューフレーム(27)が取り付けられているエレベータに対する改良構造の例を示している。図示の如く、左側のかごドア(２)の下端部には、上記の例と同様の異物押出し部材(90)が取り付けられている。又、セーフティシューフレーム(27)の下端面は、水平面に対して所定の傾斜角度を有して右側のかごドア側へ向いた斜面(28)を形成している。
この様に、セーフティシューフレーム(27)の下端面は斜面(28)を有しているので、両かごドアが閉じる過程でセーフティシューフレーム(27)の下に紐Ｓが潜り込んだとしても、該紐Ｓを引っ張り上げることによって、該紐Ｓはセーフティシューフレーム(27)の斜面(28)に案内されて容易にセーフティシューフレーム(27)の下から抜け出すことが出来る。
【０１３１】
図３８は、センターオープンタイプのエレベータにおいて左右の乗り場ドア(13)(14)に上述の異物侵入防止部材(９)を取り付けると共に、左側のかごドア(２)には上述の異物押出し部材(90)を取り付け、右側のかごドア(３)には上述の異物侵入防止部材(９)を取り付けた例を示している。又、両かごドア(２)(３)に取り付けられたセーフティシューフレーム(27)(37)にはそれぞれ上述の斜面が形成されている。
これによって、紐Ｓは乗り場ドア(13)(14)やかごドア(２)(３)の下に潜り込むことが阻止され、且つセーフティシューフレーム(27)(37)の下に紐Ｓが潜り込んだときの紐の脱出操作が容易となる。
【０１３２】
更に他の構成例において、図３９の如く左側のかごドア(２)に取り付けられたステー(41)には、投光／受光ユニット(４)よりも前方寄りの位置に、ブラシからなる清掃具(701)が下向きに取り付けられており、図２の如く両かごドア(２)(３)が全閉位置まで閉じる過程で、該清掃具(701)が、右側のかごドア(３)に配備されている第２反射部材(６)の表面を清掃する。これによって、第２反射部材(６)の表面は常に良好な反射面に維持される。
【０１３３】
図４０〜図４２はそれぞれ、第１反射部材(５)の損傷を防止するための改造例を示している。
図４０の例では、アーム部材(51)の背面に弾性材料からなるパッド(54)を取り付ける構成により、第１反射部材(５)に対して外力Ｆが作用したときの衝撃を、アーム部材(51)の弾性変形とパッド(54)の衝撃吸収によって吸収する。
【０１３４】
又、図４1の例では、アーム部材(51)を枢軸(55)により鉛直面内で回動自在に枢支すると共に、アーム部材(51)の背面には、その先端側にパッド(56)を、枢軸(55)側にバネ(57)を取り付ける構成により、第１反射部材(５)に対して外力Ｆが作用したときの衝撃をバネ(57)の弾性変形によって吸収する。
更に図４２の例では、アーム部材(51)の表面に一定の深さＧを有する細長い溝(53)を凹設し、該溝(53)の底面に第１反射部材(５)を埋設して該第１反射部材(５)の表面を露出させる構成により、傘の先などの棒状物Ａによって第１反射部材(５)が直接に突かれることを防止する。
【０１３５】
第２の実施の形態
本発明の実施の形態に係る第３のエレベータは、図４３及び図４４に示す如く、乗降口を開閉する左右一対のかごドア(２)(３)を具えたセンターオープンタイプのエレベータであって、乗降口上方のフレーム(81)にレール(１)が固定され、両かごドア(２)(３)はそれぞれ、ハンガー(21)(31)によってレール(１)に吊り下げられると共に、ドア下端部に突設されたガイドシュー(22)(32)が、敷居(82)に摺動可能に嵌まって、水平方向の往復移動が案内されている。
又、フレーム(81)上には、両かごドア(２)(３)の開閉動作を制御する制御ユニット(100)が設置されている。
【０１３６】
図４３に示す如く、左右一対のかごドア(２)(３)が全閉状態にて互いに当接する当接位置を上下に延びる鉛直線(103)上の位置において、フレーム(81)には鉛直下方に向けて投光／受光ユニット(４)が配備される一方、敷居(82)には鉛直上方へ向けて反射部材(50)が配備されている。本実施の形態では、投光／受光ユニット(４)は、トランサム(811)を介してフレーム(81)に固定されている。
尚、投光／受光ユニット(４)が鉛直下方に向き、反射部材(50)が鉛直上方を向いている取り付け状態は、投光／受光ユニット(４)の構成(発光器及び受光器の配置等)、フレーム(81)やかごドア(２)(３)の設置姿勢のばらつき等に応じ、鉛直線(103)に対して僅かな傾斜を有する取り付け状態をも含むものとする。
【０１３７】
投光／受光ユニット(４)は、レーザ光のビーム(以下、光ビームという)Ｂを出射すべき投光器と入射してくる光ビームＢを検知すべき受光器とを一体に具えたものであって、図４５及び図４６に示す如くトランサム(811)に固定されたステー(41)によって支持されている。
尚、投光／受光ユニット(４)の投光器としては例えば赤色半導体レーザを採用し、これによって直径１〜２ｍｍのスポットを形成する。投光／受光ユニット(４)の受光器は、入射光ビームによる受光量が所定の閾値を上回っているとき、光検知信号を出力する。これに対し、入射光ビームによる受光量が所定の閾値を下回ったときは、異物検知信号を出力する。
【０１３８】
反射部材(50)は、図４７及び図４８に示す如く、敷居(82)の下方に配備されて敷居(82)に沿って水平方向に延びた設置台(104)に設けられており、光ビームＢを鉛直上方へ反射する反射面を有している。尚、敷居(82)には、図４８及び図４９に示す如く、光ビームＢを鉛直方向に通過させるための貫通孔(821)が形成されている。又、設置台(104)は敷居(82)に固定されている（図示せず）。
【０１３９】
反射部材(50)を敷居の下方に配備することにより、利用客からは反射部材(50)の存在が認識されにくくなるので、いたずらを防止することができる。又、反射部材(50)の反射面が汚れにくくなる。
【０１４０】
両かごドア(２)(３)には、図５１に示す如く、全閉状態にて互いに当接すべき閉方向端面(2a)(3a)に、鉛直線(103)に沿って延びた一対の凹部(2b)(3b)が形成されている。これによって、両かごドア(２)(３)が全閉状態のとき、光ビームＢを通過させるための通路(105)が形成されることとなる。
【０１４１】
尚、両かごドア(２)(３)の閉方向端面(2a)(3a)に、図５２に示す如く、鉛直線(103)に沿って延びた一対の切欠き部(2c)(3c)を形成し、光ビームＢを通過させるための通路(105)を該一対の切欠き部(2c)(3c)によって形成してもよい。
【０１４２】
図４７に示す如く、敷居(82)及び右側のかごドア(３)には、反射部材(50)の表面を清掃する清掃機構(７)が配備され、清掃機構(７)は、ブラシからなる清掃具(71)、ばね部材(72)、及び押圧部(73)によって構成されている。具体的には、敷居(82)に固定されている設置台(104)に、一対の支持部材(75)(75)が取り付けられており、該一対の支持部材(75)(75)によって、右側のかごドア(３)の開閉方向に沿って延びた棒状部材(74)がスライド自在に支持されている。
そして、棒状部材(74)には、清掃具(71)が下向きに取り付けられている。これにより、清掃具(71)は、反射部材(50)の表面に沿ってスライドして反射部材(50)の表面を清掃することが可能になっている。
更に、棒状部材(74)には、Ｌ字状のアーム部(76)が上方に向けて突設されている。
【０１４３】
ばね部材(72)は、その一端が設置台(104)に固定されると共に他端が棒状部材(74)の右側の端に接続されており、清掃具(71)を右側のかごドア(３)の開方向にばね付勢している。従って、右側のかごドア(３)が開いた状態のとき、清掃具(71)は反射部材(50)の右側の位置に配置されることとなる。
【０１４４】
本実施の形態では、右側のかごドア(３)のガイドシュー(32)が押圧部(73)として用いられ、右側のかごドア(３)が全閉直前状態（図４７）から全閉状態（図５０）まで閉じる過程で、該ガイドシュー(32)がアーム部(76)をばね付勢に抗して押圧する。これにより、清掃具(71)は、図４８に示す如く、反射部材(50)の右側から左側へ移動して反射部材(50)の表面を清掃する。
その後、右側のかごドア(３)が開くことにより、清掃具(71)は、ばね部材(72)によるばね付勢によって反射部材(50)の左側から右側へ移動して反射部材(50)の表面を再び清掃する。即ち、右側のかごドア(３)が開閉する度に清掃具(71)によって反射部材(50)の表面が清掃される。従って、反射部材(50)の表面が常に良好な反射面に維持される。
【０１４５】
尚、上述した清掃機構(７)において、清掃具(71)を、ばね部材(72)によって右側のかごドア(３)の閉方向へばね付勢してもよい。この場合、清掃具(71)は、反射部材(50)の左側に配置されることとなる。そして、右側のかごドア(３)が開く過程で、ガイドシュー(32)によってアーム部(76)をばね付勢に抗して押圧することにより、清掃具(71)は、反射部材(50)の左側から右側へ移動して反射部材(50)の表面を清掃することとなる。その後、右側のかごドア(３)が閉じることにより、清掃具(71)は、ばね部材(72)によるばね付勢によって反射部材(50)の右側から左側へ移動して反射部材(50)の表面を再び清掃する。
【０１４６】
更に、図５３に示す如く、両かごドア(２)(３)の下端部には、該両かごドア(２)(３)の閉方向端面(2a)(3a)と敷居(82)との間に形成される隙間を塞ぐ異物侵入防止部材(91)(92)が取り付けられている。異物侵入防止部材(91)(92)には、図５４(ａ)(ｂ)に示す如く、突起部(91a)(92a)が形成されており、異物侵入防止部材(91)(92)の取り付け状態において、突起部(91a)(92a)は、図５５に示す如く両かごドア(２)(３)の下端部から下向きに突出すると共に、突起部(91a)(92a)の下端部が、図５３に示す如く敷居(82)の溝(83)に往復移動可能に収容される。
【０１４７】
上記第３のエレベータにおいては、両かごドア(２)(３)が閉じる過程で、投光／受光ユニット(４)から出射された光ビームＢは、その進路に異物が存在しない限り、反射部材(50)へ入射して反射され、反射光ビームＢは投光／受光ユニット(４)へ戻ることになる。
投光／受光ユニット(４)は、光ビームを検知しているときは異物検知信号を生成しない。そして、制御ユニット(100)は、両かごドア(２)(３)が閉じる過程で投光／受光ユニット(４)によって異物検知信号が生成されない限り、両かごドア(２)(３)の閉じ動作を継続する。
【０１４８】
これに対し、投光／受光ユニット(４)は、光ビームの検知が中断されたとき、異物検知信号を生成する。具体的には、乗降口を通過して紐Ｓが存在する場合、図５６又は図５７に示す如く両かごドア(２)(３)が全閉状態に達したときに、投光／受光ユニット(４)から出射される光ビームが紐Ｓによって遮られて、投光／受光ユニット(４)による光ビームの検知が中断される。その結果、異物検知信号が生成されることとなる。
投光／受光ユニット(４)によって生成された異常検知信号は、制御ユニット(100)へ出力される。これに応じて、制御ユニット(100)は、両かごドア(２)(３)を閉じ動作から開き動作に反転させる。
【０１４９】
又、上記第３のエレベータにおいては、投光／受光ユニット(４)はフレーム(81)に支持されているので、両かごドア(２)(３)の開閉時に発生する振動や乗りかごに加えられた衝撃等による影響、具体的には入射光ビームＢの受光量の変動や光ビームＢの照射位置のずれ等を回避することができ、以って異物の検知精度を高めることが出来る。同様に、反射部材(50)は敷居(82)に支持されているので、両かごドア(２)(３)の開閉時に発生する振動や乗りかごに加えられた衝撃等による影響を回避することが出来る。
【０１５０】
更に、上記第３のエレベータにおいては、両かごドア(２)(３)の下端部に異物侵入防止部材(91)(92)が取り付けられているので、紐Ｓが両かごドア(２)(３)の閉方向端面(2a)(3a)と敷居(82)との間に形成された隙間に侵入することが、異物侵入防止部材(91)(92)によって防止される。従って、両かごドア(２)(３)が閉じる過程で異物である紐Ｓを確実に検知することが出来る。
【０１５１】
上記第３のエレベータにおいては、両かごドア(２)(３)が全閉直前状態から全閉状態まで閉じる過程でのみ、光ビームＢを投光／受光ユニット(４)から出射することが好ましい。なぜなら、光ビームＢの出射時に人が投光／受光ユニット(４)を覗き込むことを防止することができるからである。
【０１５２】
図５８は、投光／受光ユニット(４)の出力に基づく制御ユニット(100)の制御手続きを表わしている。まずステップＳ２１で、投光／受光ユニット(４)による光ビームＢの投光を停止し、次のステップＳ２２において戸開き完了(全開状態)で待機する。次にステップＳ２３では、戸開き開放時間が満了したかどうかを判断し、ノーの場合はステップＳ２２に戻り、戸開き完了で待機する。
【０１５３】
戸開き開放時間が満了してステップＳ２３にてイエスと判断されたときは、ステップＳ２４に移行し、異物検知信号の生成によって反転戸開きを所定回数Ｎだけ繰り返した場合、又は、戸開き待機時間が所定時間Ｔに達した場合の何れかに該当するか否かを判断する。即ち、かごドアの戸閉め動作完了の可否を判断する。
【０１５４】
ここでイエスと判断されたときは、乗降口を通過して紐状の異物が存在しているのとは別の事情が原因となって、かごドアの戸閉め動作を完了することが出来ない可能性が高い。そこで、ステップＳ２５に移行して、乗りかご内の音声案内システムや、乗りかご内又は乗り場の表示案内システムを利用して、人に対してかごドア(２)(３)から離れるように警告を行なう。その後、反転戸開き動作を無効にして、ブザーの鳴動等を実行させながら、異物検知信号の生成の有無に拘わらず低速での戸閉め動作を強制的に実行する。ここで実行されるブザーの鳴動等は、強制戸閉め動作の実行を報知するためのものである。勿論、この報知は、強制戸閉め動作の実行前に実行されてもよい。
【０１５５】
次に、戸閉め動作の実行中、ステップ５１において投光／受光ユニットによる異物の検出を行なう。ここで、戸閉め動作の実行中に異物検出信号が生成されずにノーと判断されたときはステップＳ５２に移行し、戸閉め完了後、反転戸開き動作を有効にすると共にブザーの鳴動等を停止して、通常の制御動作を再開する。その後、手続きを終了する。
【０１５６】
これに対して、戸閉め動作の実行中に異物検出信号が生成されて、ステップＳ５１においてイエスと判断されたときはステップＳ５３に移行し、戸閉め完了後、乗りかご内の音声案内システムや、乗りかご内又は乗り場の表示案内システムを利用して、乗りかごの走行が開始されることを報知する。尚、音声によって走行開始を報知する場合には、ステップＳ５で警告を行ったときの音声よりも音量を大きくしてもよい。
乗りかごの走行開始を報知している間は、乗りかごの停止状態が維持される。その後、ステップＳ５４において、乗りかご内の戸開釦、又は、乗りかごが停止している停止階での乗り場呼び釦が押された否かを判断する。
【０１５７】
乗りかご内の戸開釦又は乗り場呼び釦が押されて、ステップＳ５４にてイエスと判断されたときは、ステップＳ５７に移行して、光ビームＢの投光を停止した後、戸開き動作を行なう。これにより、ステップＳ２５にて戸閉め動作を強制的に行ったことにより挟まれた異物を除去することが可能となる。その後、ステップＳ２１を経てステップＳ２２に戻って、戸開き完了で待機する。
【０１５８】
これに対して、乗りかご内の戸開釦又は乗り場呼び釦が押されず、ステップＳ５４にてノーと判断されたときは、ステップＳ５５に移行し、乗りかご及びかごドアの停止状態を維持したまま、乗りかご内の音声案内システムを利用して乗りかごの走行が開始されることを放送する。そして、放送終了後、所定の時間が経過したか否かを判断する。
【０１５９】
放送終了後に所定の時間が経過してステップＳ５５にてイエスと判断されたときは、ステップＳ５６へ移行し、通常の制御動作を再開する。その後、手続きを終了する。
一方、放送終了後に所定の時間が経過しておらずステップＳ５５にてノーと判断されたときは、ステップＳ５３に戻って、乗りかご及びかごドアの停止状態を維持する。
【０１６０】
この様に、ステップＳ２５においてかごドアの戸閉め動作が強制的に実行された場合でも、ステップＳ２５では戸閉め動作の実行が報知され、ステップＳ５３では乗りかごの走行開始が報知されるので、戸閉め動作を強制的に実行したことによる事故の発生が防止されることになる。
【０１６１】
ステップＳ２４においてノーと判断されたときは、ステップＳ２６にて通常の速度(高速)で戸閉動作を行ない、ステップＳ２７にてゲートスイッチ(101)がオンとなったか否かを判断する。ステップＳ２７でノーと判断されたときは、ステップＳ２６に戻る。ステップＳ２７でイエスと判断されたときは、ステップＳ２８に移行して投光／受光ユニット(４)による光ビームＢの投光を開始し、ステップＳ２９にて投光／受光ユニット(４)による異物の検知を行なう。
【０１６２】
ステップＳ２９で異物検知信号が生成されたと判断されたときは、乗りかごの搭乗口に何らかの異物(例えば乗りかごと乗り場フロアに跨る紐)が存在するものと推定されるため、ステップＳ３０に移行して、乗りかごの停止状態を維持したまま、光ビームＢの投光を停止し、続いて反転戸開き動作を実行する。その後、ステップＳ２１を経てステップＳ２２に戻って、戸開き完了で待機する。
【０１６３】
一方、ステップＳ２９にて異物検知信号が生成されなかったと判断されたときは、ステップＳ３１へ移行して反転戸開きの回数をクリアし、その後、光ビームの投光を停止する。そして、一連の手続きを終了する。
【０１６４】
上述の手続きによれば、紐状のものとは異なる異物によって、異常検知信号が生成されてかごドアが開いたままになるという異状事態を回避することが出来る。
【０１６５】
本発明の実施の形態に係る第４のエレベータは、図５９及び図６０に示す如く、上述した第３のエレベータと同様のセンターオープンタイプのエレベータであって、第３のエレベータとは、反射部材(50)の構成、及び反射部材(50)の表面を清掃するための構成が異なる。以下、これらの構成について具体的に説明する。尚、他の構成については、第３のエレベータと同様であるので説明を省略する。
【０１６６】
本実施の形態では反射部材(50)は、図６１に示す如く、右側のかごドア(３)の下端面に突設されたＬ字状のアーム部材(51)の水平アーム部に設けられ、光ビームＢを鉛直上方へ反射する反射面を有する。尚、アーム部材(51)の水平アーム部は、図６２に示す如く、右側のかごドア(３)のガイドシュー(32)が嵌まる敷居(82)の溝(83)の内部に、往復移動可能に収容されている。即ち、反射部材(50)は、敷居(82)の溝(83)の内部に、該溝(83)に沿って移動可能に保持されている。
【０１６７】
又、反射部材(50)は、右側のかごドア(３)の下端面と対向する位置から左側のかごドア(２)側へ延び、右側のかごドア(３)の閉方向端面位置から所定の距離（例えば８ｍｍ）だけ突出している。即ち、反射部材(50)は、右側のかごドア(３)の閉方向端面(3a)の下端位置に、上方に向けて配備されている。従って、反射部材(50)は、両かごドア(２)(３)が全閉状態のときに、上述した一対の凹部(2b)(3b)又は一対の切欠き部(2c)(3c)によって形成される通路(105)の直下に配置されることとなる。
【０１６８】
又、本実施の形態では、図６２に示す如く、ブラシからなる清掃具(77)が敷居(82)の溝(83)の内部に取り付けられている。具体的には清掃具(77)は、図６３に示す如く、溝(83)の底面から離間すると共にブラシが下向きとなるように、溝(83)の側面に固定されている。
図６４に示す如く両かごドア(２)(３)が全閉状態まで閉じる過程、及び全閉状態から開く過程で、清掃具(77)は、右側のかごドア(３)に配備されている反射部材(50)の表面を清掃する。これにより、反射部材(50)の表面は常に良好な反射面に維持される。
【０１６９】
上記第４のエレベータにおいては、反射部材(50)が、右側のかごドア(３)の閉方向端面位置から所定の距離（例えば８ｍｍ）だけ突出しているので、両かごドア(２)(３)が閉じる過程で、光ビームＢが通る鉛直線(103)上に反射部材(50)の先端が到達したときに、投光／受光ユニット(４)からの光ビームＢの出射が開始される。
そして、両かごドア(２)(３)が全閉直前状態から全閉状態まで閉じる過程で、投光／受光ユニット(４)から出射された光ビームＢは、その進路に異物が存在しない限り、反射部材(50)へ入射して反射され、反射光ビームＢは投光／受光ユニット(４)へ戻る。従って、異常検知信号は生成されない。
【０１７０】
これに対し、乗降口を通過して紐Ｓが存在する場合には、上述した第３のエレベータと同様、図５６又は図５７に示す如く両かごドア(２)(３)が全閉状態に達したときに、投光／受光ユニット(４)から出射される光ビームが紐Ｓによって遮られて、投光／受光ユニット(４)による光ビームの検知が中断される。その結果、異物検知信号が生成される。
【０１７１】
又、上記第４のエレベータにおいては、投光／受光ユニット(４)はフレーム(81)に支持されているので、上述した第３のエレベータと同様、両かごドア(２)(３)の開閉時に発生する振動や乗りかごに加えられた衝撃等による影響を回避することが出来る。
【０１７２】
更に、上記第４のエレベータにおいては、両かごドア(２)(３)が閉じる過程で全閉直前状態に到達したときに、投光／受光ユニット(４)からの光ビームＢの出射が開始されるので、光ビームＢの出射時に人が投光／受光ユニットを覗き込むことを防止することができる。
【０１７３】
尚、本実施の形態においては、光ビームＢが通る鉛直線(103)上に反射部材(50)の先端が到達したときに、投光／受光ユニット(４)からの光ビームＢの出射が開始されるが、例えば、該鉛直線(103)上に反射部材(50)の先端が到達する前に光ビームＢの出射を開始してもよい。この場合、鉛直線(103)上に反射部材(50)の先端が到達する前においては紐検知機能を無効とし、該鉛直線(103)上に反射部材(50)の先端が到達したときに紐検知機能を有効にする。
【０１７４】
本発明の実施の形態に係る第５のエレベータは、図６５及び図６６に示す如く、乗りかごに固定された戸当たりフレーム(84)に対して接近離間して乗降口を開閉する高速のかごドア(23)と低速のかごドア(33)を具えたサイドオープンタイプのエレベータであって、乗降口上方のフレーム(85)にレール(11)が固定され、両かごドア(23)(33)はそれぞれハンガー(24)(34)によってレール(11)に吊り下げられると共に、ドア下端部に突設されたガイドシュー(25)(35)が敷居(86)に摺動可能に嵌まって、水平方向の往復移動が案内されている。
又、フレーム(85)上には、両かごドア(23)(33)の開閉動作を制御する制御ユニット(100)が設置されている。
【０１７５】
戸当たりフレーム(84)には、図６５に示す如く、高速のかごドア(23)が当接すべき端面(84a)から高速のかごドア(23)側へ所定の距離（例えば１２ｍｍ）だけ離れた位置を上下に延びる鉛直線(113)上の上端位置に、鉛直下方に向けて投光／受光ユニット(４)が配備される一方、鉛直線(113)上の下端位置には、鉛直上方に向けて第１反射部材(61)が配備されている。
尚、投光／受光ユニット(４)が鉛直下方に向き、第１反射部材(61)が鉛直上方を向いている取り付け状態は、投光／受光ユニット(４)の構成(発光器及び受光器の配置等)、戸当たりフレーム(84)やかごドア(23)(33)の設置姿勢のばらつき等に応じ、鉛直線(113)に対して僅かな傾斜を有する取り付け状態をも含むものとする。又、投光／受光ユニット(４)は、乗降口上方のフレーム(85)に、上記鉛直線(113)上の位置にて鉛直下方に向けて配備されてもよい。
【０１７６】
投光／受光ユニット(４)は、光ビームＢを出射すべき投光器と入射してくる光ビームＢを検知すべき受光器とを一体に具えたものであって、図６７に示す如く戸当たりフレーム(84)に固定されたステー(42)によって支持されている。
【０１７７】
第１反射部材(61)は、図６８に示す如く、戸当たりフレーム(84)の下端位置に配備されたＬ字状のアーム部材(63)の水平アーム部に設けられており、光ビームＢを鉛直上方へ反射する反射面を有している。尚、アーム部材(63)は、図６９に示す如く、かごドア(23)のガイドシュー(25)が嵌まる敷居(86)の溝(87)の内部に収容された状態で取り付けられている。即ち、反射部材(61)は、敷居(86)の溝(87)の内部に保持されている。
【０１７８】
高速のかごドア(23)の上端部には、図７０に示す如く、戸当たりフレーム(84)に当接すべき閉方向端面(23a)に開口した収容空間(30)が形成され、該収容空間(30)は、高速のかごドア(23)が閉じた状態で投光／受光ユニット(４)を収容する。
収容空間(30)の底部には、鉛直上方へ向けて第２反射部材(62)が配備されている。第２反射部材(62)は、高速のかごドア(23)の閉方向端面(23a)と同じ位置から収容空間(30)の奥方へ延びる所定長さ(例えば８ｍｍ)の反射面を有し、収容空間(30)に侵入した投光／受光ユニット(４)からの光ビームＢを鉛直上方へ反射する。
【０１７９】
高速のかごドア(23)の下端部には、図７１に示す如くブラシからなる清掃具(78)が下向きに取り付けられている。
図７２に示す如く両かごドア(23)(33)が全閉状態まで閉じる過程、及び全閉状態から開く過程で、清掃具(78)は、戸当たりフレーム(84)の下端位置に配備されている第１反射部材(61)の表面を清掃する。これにより、第１反射部材(61)の表面は常に良好な反射面に維持される。
【０１８０】
更に、戸当たりフレームの上端部には、図６７に示す如くブラシからなる清掃具(79)が下向きに取り付けられている。具体的には清掃具(79)は、投光／受光ユニット(４)を戸当たりフレーム(84)に支持するためのステー(42)の先端に取り付けられている。
清掃具(79)は、両かごドア(23)(33)が全閉状態まで閉じる過程、及び全閉状態から開く過程で、収納空間(30)の底面に配備されている第２反射部材(62)の表面を清掃する。これにより、第２反射部材(62)の表面は常に良好な反射面に維持される。
【０１８１】
高速のかごドア(23)の下端部には、上述した第３のエレベータと同様、かごドア(23)の閉方向端面(23a)と敷居(86)との間に形成される隙間を塞ぐ異物侵入防止部材が取り付けられている（図５３乃至図５５参照）。
【０１８２】
上記第５のエレベータにおいては、高速のかごドア(23)が全開状態から全閉直前状態まで閉じる過程で、投光／受光ユニット(４)から出射された光ビームＢは、その進路に異物が存在しない限り、第１反射部材(61)へ入射して反射され、反射光ビームＢは投光／受光ユニット(４)へ戻ることなる。
その後、高速のかごドア(23)が全閉直前状態から全閉状態まで閉じる過程で、投光／受光ユニット(４)は高速のかごドア(23)に形成されている収容空間(30)に侵入し、これによって投光／受光ユニット(４)から出射された光ビームＢは第２反射部材(62)へ入射して反射され、反射光ビームＢは投光／受光ユニット(４)へ戻ることになる。
【０１８３】
即ち、高速のかごドア(23)が全開状態から全閉状態まで閉じる過程で、投光／受光ユニット(４)から出射された光ビームＢは、その進路に異物が存在しない限り、第１反射部材(61)又は第２反射部材(62)によって反射され、投光／受光ユニット(４)へ戻ってくることになる。
【０１８４】
投光／受光ユニット(４)は、光ビームを検知しているときは異物検知信号を生成しない。そして、制御ユニット(100)は、高速のかごドア(23)が全開状態から全閉状態まで閉じる過程で、投光／受光ユニット(４)によって異物検知信号が生成されない限り、両かごドア(23)(33)の閉じ動作を継続する。
【０１８５】
これに対し、投光／受光ユニット(４)は、光ビームの検知が中断されたとき、異物検知信号を生成して制御ユニット(100)へ出力する。これに応じて、制御ユニット(100)は、両かごドア(２)(３)を閉じ動作から開き動作に反転させる。
【０１８６】
又、上記第５のエレベータにおいては、投光／受光ユニット(４)は戸当たりフレーム(84)に配備されているので、両かごドア(23)(33)の開閉時に発生する振動や乗りかごに加えられた衝撃等による影響、具体的には入射光ビームの受光量の変動や光ビームの照射位置のずれ等を回避することができ、以って異物の検知精度を高めることが出来る。同様に、第１反射部材(61)は敷居(86)に配備されているので、かごドアの開閉時に発生する振動や乗りかごに加えられた衝撃等による影響を回避することが出来る。
【０１８７】
更に、上記第５のエレベータにおいては、高速のかごドア(23)の下端部に異物侵入防止部材が取り付けられているので、紐Ｓが高速のかごドア(23)の閉方向端面(23a)と敷居(86)との間に形成された隙間に侵入することが、異物侵入防止部材によって防止される。従って、異物である紐Ｓを確実に検知することが出来る。
【０１８８】
上記第５のエレベータにおいては、高速のかごドア(23)が閉じる過程で、投光／受光ユニット(４)が収容空間(30)の内部に突入する直前から、該かごドア(23)が全閉状態となるまでの期間でのみ、光ビームＢを投光／受光ユニット(４)から出射することが好ましい。なぜなら、光ビームＢの出射時に人が投光／受光ユニット(４)を覗き込むことを防止することができるからである。
【０１８９】
図７３及び図７４は、上記第５のエレベータに、高速のかごドア(23)にセーフティシューフレーム(29)が配備されている場合において、乗りかごの内部と乗り場フロアの間に紐Ｓが張られている状態で、かごドア(23)と乗り場ドア(15)が閉じるときの一連の動作を表わしている。
【０１９０】
図７３(ａ)(ｂ)に示す如くかごドア(23)が閉じる過程で、紐Ｓがセーフティシューフレーム(29)の先端に引っ掛かっている場合には、紐Ｓは、セーフティシューフレーム(29)によって光ビームＢの方へ導かれ（図７３(ａ)）、その結果、紐Ｓは光ビームＢを横切る（図７３(ｂ)）。このとき、投光／受光ユニット(４)による光ビームＢの検知が中断するので、異常検知信号が生成される。
【０１９１】
図７４(ａ)(ｂ)に示す如くかごドア(23)が閉じる過程で、セーフティシューフレーム(29)の閉方向端面(29a)と敷居(86)との間に形成された隙間に紐Ｓが侵入した場合には、紐Ｓは、高速のかごドア(23)の下端部に取り付けられた異物侵入防止部材によって光ビームＢの方へ導かれ（図７４(ａ)）、その結果、紐Ｓは光ビームＢを横切る（図７４(ｂ)）。このとき、投光／受光ユニット(４)による光ビームＢの検知が中断するので、異常検知信号が生成される。
【０１９２】
図７５及び図７６は、上記第５のエレベータに対する改良構造の一例を示している。図示の如く、戸当たりフレーム(84)の下端部には、該戸当たりフレーム(84)の端面(84a)よりも高速のかごドア(23)側へ突出する異物押し出し部材(93)が配備されている。具体的には、異物押し出し部材(93)は、上述したＬ字状のアーム部材(63)と一体に形成されており、異物押し出し部材(93)の上端面は、該上端面に接して張られた紐Ｓが鉛直線(113)上へ導かれるように斜めにカットされている。
【０１９３】
図７７は、上記改良構造を有する第５のエレベータにおいて、乗りかごの内部と乗り場フロアの間に紐Ｓが張られている状態で、かごドア(23)と乗り場ドア(15)が閉じるときの一連の動作を表わしている。
上記改良構造を有する第５のエレベータにおいては、光ビームＢが通る鉛直線(113)と戸当たりフレーム(84)の端面(84a)との間の空間を通って張られた紐Ｓは、異物押し出し部材(93)によって前方へ押し出され（図７６参照）、その結果、鉛直線(113)上に導かれる（図７７）。従って、高速のかごドア(23)が閉じる過程で光ビームＢは必ず紐Ｓによって遮られることになり、この結果、異物である紐Ｓを確実に検知することが可能となる。
【０１９４】
図７８は、上記第５のエレベータに対する改良構造の他の例を示している。又、図７８では、乗りかごの内部と乗り場フロアの間に紐Ｓが張られている状態で、かごドア(23)と乗り場ドア(15)が閉じるときの一連の動作が表わされている。
図７８に示す如く、高速のかごドア(23)には、該かごドア(23)に対して相対移動するセーフティシューフレーム(29)が取り付けられ、戸当たりフレーム(84)の端面(84a)には、光ビームＢが通る鉛直線(113)に沿って延びた突出部材(94)が形成されている。突出部材(94)は、図７８(ａ)に示す如く、光ビームＢが通る位置に対してセーフティシューフレーム(29)側に位置し、戸当たりフレーム(84)の端面(84a)からの突出長さＬが、該端面(84a)から光ビームＢまでの距離（例えば１２ｍｍ）よりも短い。又、突出部材(94)は、図７７(ｂ)に示す如く、高速のかごドア(23)が閉じる過程でセーフティシューフレーム(29)と重なる。
【０１９５】
上記改良構造を有する第５のエレベータにおいては、図７８(ｂ)に示す如く突出部材(94)が、高速のかごドア(23)が閉じる過程でセーフティシューフレーム(29)と重なることによって、異物である紐Ｓの一部分をセーフティシュー(29)との間に挟み込み、そして該一部分を閉方向に沿わせようとする。従って、紐Ｓは、突出部材(94)の先端から高速のかごドア(23)の閉方向端面(23a)側へ押し出される。その結果、紐Ｓは、光ビームＢと交叉する位置に移動するか、或いは光ビームＢを横切る。このとき、投光／受光ユニット(４)による光ビームＢの検知が中断するので、異常検知信号が生成される。
【０１９６】
図７９は、上記第５のエレベータに対する改良構造の更なる他の例を示している。又、図７９では、乗りかごの内部と乗り場フロアの間に紐Ｓが張られている状態で、かごドア(23)と乗り場ドア(15)が閉じるときの一連の動作が表わされている。
図７９に示す如く、高速のかごドア(23)の側面には、閉方向端面(23a)の上端位置から下端位置まで鉛直方向に延びたガイド部材(95)が取り付けられ、該ガイド部材(95)は、閉方向端面(23a)から戸当たりフレーム(84)側へ突出している。
【０１９７】
上記改良構造を有する第５のエレベータにおいては、図７９(ａ)(ｂ)に示す如くかごドア(23)が閉じる過程で、紐Ｓがガイド部材(95)の先端に引っ掛かり、紐Ｓは、ガイド部材(95)によって光ビームＢの方へ導かれ（図７９(ａ)）、その結果、紐Ｓは光ビームＢを横切る（図７９(ｂ)）。このとき、投光／受光ユニット(４)による光ビームＢの検知が中断するので、異常検知信号が生成される。
【０１９８】
図８０〜図８３は、上記第５のエレベータにおいて投光／受光ユニット(４)の故障を検知するために、ゲートスイッチ(101)からの信号を利用する実施形態を表わしている。
ここで、第２反射部材(62)は、図８１に示す如く、投光／受光ユニット(４)から出射される光ビームを一定以上の光量で反射する反射部(621)と、投光／受光ユニット(４)から出射される光ビームを一定以上の光量では反射しない非反射部(622)とから構成されている。例えば、非反射部材の表面に反射テープを貼り着けることによって反射部(621)を構成し、反射テープを貼り着けない領域によって非反射部(622)を構成することが出来る。
【０１９９】
図８０に示す様に、レール(11)には、ゲートスイッチ(101)が配備される一方、高速のかごドア(23)のハンガー(24)には、ゲートスイッチ(101)をオフからオンに切り替えるための突片(26)が取り付けられている。
【０２００】
図８１に示す様に、高速のかごドア(23)の閉方向端面(23a)が戸当たりフレーム(84)の端面(84a)の手前１２ｍｍの位置まで閉じたとき(第１の全閉直前状態)、投光／受光ユニット(４)から出射される光ビームＢは、第１反射部材(61)に入射していた状態から第２反射部材(62)の反射部(621)に入射する状態に移行し、以後は反射部(621)にて反射された光ビームＢが投光／受光ユニット(４)によって検知されることになる。従って、異物検知信号は生成されない。この時点では、ゲートスイッチ(101)はオフのままである。
【０２０１】
図８２に示す様に、かごドア(23)の閉方向端面(23a)が戸当たりフレーム(84)の端面(84a)の手前８ｍｍの位置まで閉じたとき、ゲートスイッチ(101)がオンとなる。このとき、投光／受光ユニット(４)から出射された光ビームＢは依然として第２反射部材(62)の反射部(621)に入射する状態であって、反射部(621)にて反射された光ビームＢが投光／受光ユニット(４)によって検知される。
【０２０２】
更に、図８３に示す様に、かごドア(23)の閉方向端面(23a)が戸当たりフレーム(84)の端面(84a)の手前４ｍｍの位置まで閉じたとき(第２の全閉直前状態)、投光／受光ユニット(４)から出射された光ビームＢは、第２反射部材(62)の反射部(621)に入射していた状態から非反射部(622)に入射する状態に移行し、その後、かごドア(23)が全閉状態に達するまでの期間、投光／受光ユニット(４)へ光ビームＢが一定以上の光量で入射することはない。この結果、異物検知信号が生成されることになる。この時点では、ゲートスイッチ(101)はオンのままである。
【０２０３】
従って、投光／受光ユニット(４)が正常に動作している限り、第２の全閉直前状態ではゲートスイッチ(101)がオンとなり、且つ異物検知信号が生成されることになる。この場合、制御ユニット(100)は異物検知信号に拘わらず戸閉動作を継続する。
ところが、投光／受光ユニット(４)に何らかの異常が発生していると、ゲートスイッチ(101)はオンとなるが、異物検知信号は生成されないことになる。そこで、制御ユニット(100)は、ゲートスイッチ(101)がオンとなった後に異物検知信号が供給されないときは、投光／受光ユニット(４)に何らかの異常が発生したものと判断する。
【０２０４】
投光／受光ユニット(４)とゲートスイッチ(101)の出力に基づく制御ユニット(100)の制御手続きは、第１の実施の形態と同様、上述した図２１に示すフローチャートに従って実行される。
【０２０５】
上記手続きによれば、従来より戸閉動作の終了を検知するために用いられているゲートスイッチ(101)からのオン／オフ信号を利用して、投光／受光ユニット(４)の故障を検知することが出来る。これによって、乗りかごの乗降口に紐などの異物が存在するにも拘わらず異物検知信号が生成されず、危険回避動作が行なわれないという異常事態を回避することが出来る。
【０２０６】
尚、ゲートスイッチ(101)からのオン／オフ信号に替えて、より全閉状態に近い全閉直前状態を検知することが可能なＣＴＬ信号を利用することも可能である。ゲートスイッチ(101)はドアが閉じたことを検知するスイッチであるのに対し、ＣＴＬはドアの位置を検出するスイッチであって、エレベータには両方のスイッチが装備されている。
例えば、かごドア(23)の閉方向端面(23a)が戸当たりフレーム(84)の端面(84a)の手前４ｍｍまで閉じた時点でＣＴＬ信号がオフからオンに切り替わるので、かごドア(23)の閉方向端面(23a)が戸当たりフレーム(84)の端面(84a)の手前２ｍｍまで閉じた状態で投光／受光ユニット(４)からの光ビームが第２反射部材(62)の反射部(621)から非反射部(622)へ移行する様、反射部(621)の長さを変更する。
【０２０７】
投光／受光ユニット(４)の故障を検知する他の例において、かごドア(23)を閉じる過程でゲートスイッチ(101)又はＣＴＬがオフからオンに切り替わった後、投光／受光ユニット(４)による入射光ビームの検知機能はオンのまま、光ビームＢの出射をオフにする。
【０２０８】
該他の例においては、光ビームＢの出射をオフにすることによって、投光／受光ユニット(４)に光ビームＢが入射することがなくなる。従って、投光／受光ユニット(４)が正常に動作している限り、異物検知信号が生成されることになる。この場合、制御ユニット(100)は異物検知信号に拘わらず戸閉動作を継続する。
ところが、投光／受光ユニット(４)に何らかの異常が発生していると、投光／受光ユニット(４)に光ビームＢが入射していないにも拘わらず、異常検知信号が生成されないこととなる。そこで、制御ユニット(100)は、入射光ビームの検知機能はオンのまま光ビームの出射をオフにしたときに、異常検知信号が供給されない場合には、投光／受光ユニット(４)に何らかの異常が発生したものと判断する。
【０２０９】
上記他の例によれば、投光／受光ユニット(４)の故障を検知することが出来る。これによって、乗りかごの乗降口に紐などの異物が存在するにも拘わらず異物検知信号が生成されず、危険回避動作が行なわれないという異常事態を回避することが出来る。
しかも、第２反射部材(62)の反射部(621)は、高速のかごドア(23)の閉方向端面(23a)と同じ位置から、ゲートスイッチ(101)又はＣＴＬがオフからオンに切り替わるときに光ビームＢを反射することが出来る位置まで延びていればよく、反射部(621)の長さを正確に設計する必要がない。
【０２１０】
尚、上記他の例の技術は、光ビームＢの出射を開始する前に実行することも出来る。これにより、投光／受光ユニット(４)の故障を予め検知しておくことが出来る。
【０２１１】
本発明の実施の形態に係る第６のエレベータは、上述した第５のエレベータと同様のサイドオープンタイプのエレベータであって、第５のエレベータとは、投光／受光ユニット(４)及び第１反射部材(61)の位置が異なると共に、高速のかごドア(23)の閉方向端面(23a)及び戸当たりフレーム(84)の端面(84a)の形状が変更されている。以下、これらの点について具体的に説明する。尚、第６のエレベータには第２反射部材(62)及び異物押し出し部材(93)は配備されていない。又、他の構成については、第５のエレベータと同様であるので説明を省略する。
【０２１２】
本実施の形態では投光／受光ユニット(４)は、戸当たりフレーム(84)と高速のかごドア(23)が全閉状態にて互いに当接する当接位置Ｒ１（図８４参照）を上下に延びる鉛直線上において、戸当たりフレーム(84)の上端位置に配備される。又、第１反射部材(61)は、該鉛直線上において、戸当たりフレーム(84)の下端位置に配備される。
【０２１３】
又、本実施の形態では、図８４に示す如く戸当たりフレーム(84)の端面(84a)が戸当たりゴム(841)によって形成され、該戸当たりゴム(841)は、戸当たりフレーム(84)の上端位置から下端位置まで延びている。そして、戸当たりフレーム(84)の端面(84a)と高速のかごドア(23)の閉方向端面(23a)には、上記鉛直線に沿って延びた一対の凹部(84b)(23b)が形成されている。これによって、高速のかごドア(23)が全閉状態のとき、光ビームＢを通過させるための通路(115)が形成されることとなる。
【０２１４】
尚、戸当たりフレーム(84)の端面(84a)と高速のかごドア(23)の閉方向端面(23a)に、図８５に示す如く、鉛直線(103)に沿って延びた一対の切欠き部(84c)(23c)を形成し、光ビームＢを通過させるための通路(115)を該一対の切欠き部(84c)(23c)によって形成してもよい。
【０２１５】
上記第６のエレベータにおいては、高速のかごドア(23)が閉じる過程で、投光／受光ユニット(４)から出射された光ビームＢは、その進路に異物が存在しない限り、反射部材(50)へ入射して反射され、反射光ビームＢは投光／受光ユニット(４)へ戻るので、異常検知信号は生成されない。
【０２１６】
これに対し、投光／受光ユニット(４)は、光ビームの検知が中断されたとき、異物検知信号を生成する。具体的には、乗降口を通過して紐Ｓが存在する場合、図８６又は図８７に示す如く高速のかごドア(23)が全閉状態に達したときに、投光／受光ユニット(４)から出射される光ビームが紐Ｓによって遮られて、投光／受光ユニット(４)による光ビームの検知が中断される。その結果、異物検知信号が生成される。
【０２１７】
尚、本発明の各部構成は上記実施の形態に限らず、特許請求の範囲に記載の技術的範囲内で種々の変形が可能である。例えば、センターオープンタイプのエレベータの安全装置として採用した上述の各種構成は、サイドオープンタイプのエレベータの安全装置としても採用することが可能であり、逆にサイドオープンタイプのエレベータの安全装置として採用した上述の各種構成は、センターオープンタイプのエレベータの安全装置としても採用することが可能である。
【０２１８】
又、敷居に溝が凹設されていないタイプにおいては、乗り場フロアの敷居と乗りかごの敷居の間を通る鉛直線上に投光／受光ユニット(４)と反射部材を配備すればよい。
更に又、投光／受光ユニット(４)と反射部材の位置関係は、必ずしも鉛直線上の上端位置と下端位置に限らず、鉛直線に対して僅かな傾斜を有する直線上に配置することも可能である。
【符号の説明】
【０２１９】
(１)  レール
(２)  かごドア
(2a)  閉方向端面
(３)  かごドア
(3a)  閉方向端面
(12)  戸当たりフレーム
(12a) 端面
(23)  高速のかごドア
(23a) 閉方向端面
(29)  セーフティシューフレーム
(33)  低速のかごドア
(30)  収容空間
(４)  投光／受光ユニット
(５)  第１反射部材
(６)  第２反射部材
(601) 反射部
(602) 非反射部
(50)  反射部材
(61)  第１反射部材
(62)  第２反射部材
(621) 反射部
(622) 非反射部
(70)  清掃具
(701) 清掃具
(７)  清掃機構
(71)  清掃具
(72)  ばね部材
(73)  押圧部(ガイドシュー)
(77)〜(79) 清掃具
(81)  フレーム
(82)  敷居
(84)  戸当たりフレーム
(84a) 端面
(85)  フレーム
(86)  敷居
(87)  溝
(９)  異物侵入防止部材
(90)  異物押出し部材
(91)(92) 異物侵入防止部材
(93)  異物押出し部材
(94)  突出部材
(100) 制御ユニット
(101) ゲートスイッチ
(105)(115) 通路
Ｂ  光ビーム
Ｓ  紐
【図１】
2010024215.tif 000003
【図２】
2010024215.tif 000004
【図３】
2010024215.tif 000005
【図４】
2010024215.tif 000006
【図５】
2010024215.tif 000007
【図６】
2010024215.tif 000008
【図７】
2010024215.tif 000009
【図８】
2010024215.tif 000010
【図９】
2010024215.tif 000011
【図１０】
2010024215.tif 000012
【図１１】
2010024215.tif 000013
【図１２】
2010024215.tif 000014
【図１３】
2010024215.tif 000015
【図１４】
2010024215.tif 000016
【図１５】
2010024215.tif 000017
【図１６】
2010024215.tif 000018
【図１７】
2010024215.tif 000019
【図１８】
2010024215.tif 000020
【図１９】
2010024215.tif 000021
【図２０】
2010024215.tif 000022
【図２１】
2010024215.tif 000023
【図２２】
2010024215.tif 000024
【図２３】
2010024215.tif 000025
【図２４】
2010024215.tif 000026
【図２５】
2010024215.tif 000027
【図２６】
2010024215.tif 000028
【図２７】
2010024215.tif 000029
【図２８】
2010024215.tif 000030
【図２９】
2010024215.tif 000031
【図３０】
2010024215.tif 000032
【図３１】
2010024215.tif 000033
【図３２】
2010024215.tif 000034
【図３３】
2010024215.tif 000035
【図３４】
2010024215.tif 000036
【図３５】
2010024215.tif 000037
【図３６】
2010024215.tif 000038
【図３７】
2010024215.tif 000039
【図３８】
2010024215.tif 000040
【図３９】
2010024215.tif 000041
【図４０】
2010024215.tif 000042
【図４１】
2010024215.tif 000043
【図４２】
2010024215.tif 000044
【図４３】
2010024215.tif 000045
【図４４】
2010024215.tif 000046
【図４５】
2010024215.tif 000047
【図４６】
2010024215.tif 000048
【図４７】
2010024215.tif 000049
【図４８】
2010024215.tif 000050
【図４９】
2010024215.tif 000051
【図５０】
2010024215.tif 000052
【図５１】
2010024215.tif 000053
【図５２】
2010024215.tif 000054
【図５３】
2010024215.tif 000055
【図５４】
2010024215.tif 000056
【図５５】
2010024215.tif 000057
【図５６】
2010024215.tif 000058
【図５７】
2010024215.tif 000059
【図５８】
2010024215.tif 000060
【図５９】
2010024215.tif 000061
【図６０】
2010024215.tif 000062
【図６１】
2010024215.tif 000063
【図６２】
2010024215.tif 000064
【図６３】
2010024215.tif 000065
【図６４】
2010024215.tif 000066
【図６５】
2010024215.tif 000067
【図６６】
2010024215.tif 000068
【図６７】
2010024215.tif 000069
【図６８】
2010024215.tif 000070
【図６９】
2010024215.tif 000071
【図７０】
2010024215.tif 000072
【図７１】
2010024215.tif 000073
【図７２】
2010024215.tif 000074
【図７３】
2010024215.tif 000075
【図７４】
2010024215.tif 000076
【図７５】
2010024215.tif 000077
【図７６】
2010024215.tif 000078
【図７７】
2010024215.tif 000079
【図７８】
2010024215.tif 000080
【図７９】
2010024215.tif 000081
【図８０】
2010024215.tif 000082
【図８１】
2010024215.tif 000083
【図８２】
2010024215.tif 000084
【図８３】
2010024215.tif 000085
【図８４】
2010024215.tif 000086
【図８５】
2010024215.tif 000087
【図８６】
2010024215.tif 000088
【図８７】
2010024215.tif 000089
【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
互いに接近離間する方向に移動して乗降口を開閉する一対のかごドア（２）（３）を具えたエレベータの安全装置において、
一方のかごドア（２）には、他方のかごドア（３）と当接すべき閉方向端面（２ａ）から他方のかごドア（３）側へ所定距離だけ離れた位置を上下に伸びる直線上の上端位置に、下方へ向けて投光／受光ユニット（４）が配備される一方、前記直線上の下端位置には、上方へ向けて第１反射部材（５）が配備され、投光／受光ユニット（４）は光ビームの出射と入射光ビームの検知が可能であり、前記他方のかごドア（３）には、両かごドア（２）（３）が閉じた状態で前記投光／受光ユニット（４）が収容される収容空間（３０）が形成され、該収容空間（３０）の底部には、上方へ向けて第２反射部材（６）が配備され、該第２反射部材（６）は、前記他方のかごドア（３）の閉方向端面（３ａ）と同じ位置から前記収容空間（３０）の奥方へ向かって延び、両かごドア（２）（３）が閉じる過程で前記投光／受光ユニット（４）による光ビームの検知が中断されたとき、異物検知信号が生成されることを特徴とするエレベータの安全装置。
【請求項２】
前記他方のかごドア（３）には、両かごドア（２）（３）が全閉直前状態から全閉状態まで閉じる過程で前記第１反射部材（５）の表面を清掃する、清掃具（７０）が取り付けられている請求項１に記載のエレベータの安全装置。
【請求項３】
前記一方のかごドア（２）には、前記投光／受光ユニット（４）よりも前記他方のかごドア（３）側に、両かごドア（２）（３）が全閉直前状態から全閉状態まで閉じる過程で前記第２反射部材（６）の表面を清掃する、清掃具（７０１）が取り付けられている請求項１又は請求項２に記載のエレベータの安全装置。
【請求項４】
前記第１反射部材（５）は、前記一方のかごドア（２）が摺動可能に嵌まる敷居（８２）の溝（８３）の内部に、該溝（８３）に沿って移動可能に保持されている請求項１乃至請求項３の何れかに記載のエレベータの安全装置。
【請求項５】
前記他方のかごドア（３）の下端部には、該かごドア（３）の閉方向端面（３ａ）の下端と敷居（８２）の表面との間に形成される隙間を塞ぐ、異物侵入防止部材（９）が取り付けられている請求項１乃至請求項４の何れかに記載のエレベータの安全装置。
【請求項６】
前記一方のかごドア（２）の下端部には、該かごドア（２）の閉方向端面（２ａ）の下端と敷居（８２）の表面との間に形成される隙間を塞ぐと共に該隙間よりも前記他方のかごドア（３）側へ突出する、異物押出し部材（９０）が取り付けられている請求項１乃至請求項５の何れかに記載のエレベータの安全装置。
【請求項７】
前記一対のかごドア（２）（３）の少なくとも何れか一方のかごドアには該かごドアに対して相対移動するセーフティシューフレーム（２７）が取り付けられており、該セーフティシューフレーム（２７）の下端面は、水平面に対して所定の傾斜角度を有して他方のかごドア側へ向いた斜面（２８）を形成している請求項１乃至請求項６の何れかに記載のエレベータの安全装置。
【請求項８】
両かごドア（２）（３）は全開状態から第１の全閉直前状態及び第２の全閉直前状態を経て全閉状態まで閉じるものであって、両かごドア（２）（３）が第１の全閉直前状態から第２の全閉直前状態まで閉じる過程の所定時点でオフからオンとなる検知手段を具え、
前記第２反射部材（６）は、両かごドア（２）（３）が第１の全閉直前状態から第２の全閉直前状態まで閉じる過程では前記投光／受光ユニット（４）から出射される光ビームを反射する一方、両かごドア（２）（３）が第２の全閉直前状態から全閉状態に達する過程では前記投光／受光ユニット（４）から出射される光ビームを殆ど反射しない構成を有し、前記検知手段がオンとなった後に異物検知信号が生成されないとき、投光／受光ユニット（４）に異常が発生したものと判断する請求項１乃至請求項７の何れかに記載のエレベータの安全装置。
【請求項９】
戸当たりフレーム（１２）に対して接近離間する方向に移動して乗降口を開閉する少なくとも１つのかごドア（２３）を具えたエレベータの安全装置において、
前記かごドア（２３）には、前記戸当たりフレーム（１２）と当接すべき閉方向端面（２３ａ）から戸当たりフレーム（１２）側へ所定距離だけ離れた位置を上下に延びる直線上の上端位置に、下方へ向けて投光／受光ユニット（４）が配備される一方、前記直線上の下端位置には、上方へ向けて第１反射部材（５）が配備され、投光／受光ユニット（４）は光ビームの出射と入射光ビームの検知が可能であり、前記戸当たりフレーム（１２）には、かごドア（２３）が閉じた状態で前記投光／受光ユニット（４）が収容される収容空間（３０）が形成され、該収容空間（３０）の底部には、上方へ向けて第２反射部材（６）が配備され、該第２反射部材（６）は、前記かごドア（２３）が当接すべき戸当たりフレーム（１２）の端面（１２ａ）と同じ位置から前記収容空間（３０）の奥方へ向かって延び、前記かごドア（２３）が閉じる過程で前記投光／受光ユニット（４）による光ビームの検知が中断されたとき、異物検知信号が生成されることを特徴とするエレベータの安全装置。
【請求項１０】
前記戸当たりフレーム（１２）には、前記かごドア（２３）が全閉直前状態から全閉状態まで閉じる過程で前記第１反射部材（５）の表面を清掃する、清掃具（７０）が取り付けられている請求項９に記載のエレベータの安全装置。
【請求項１１】
前記かごドア（２３）には、前記投光／受光ユニット（４）よりも前記戸当たりフレーム（１２）側に、かごドア（２３）が全閉直前状態から全閉状態まで閉じる過程で前記第２反射部材（６）の表面を清掃する、清掃具（７０１）が取り付けられている請求項９又は請求項１０に記載のエレベータの安全装置。
【請求項１２】
前記第１反射部材（５）は、前記かごドア（２３）が摺動可能に嵌まる敷居（８６）の溝（８７）の内部に、該溝（８７）に沿って移動可能に保持されている請求項９乃至請求項１１の何れかに記載のエレベータの安全装置。
【請求項１３】
前記かごドア（２３）の下端部には、該かごドア（２３）の閉方向端面（２３ａ）の下端と敷居（８６）の表面との間に形成される隙間を塞ぐと共に該隙間よりも戸当たりフレーム（１２）側へ突出する、異物押出し部材（９０）が取り付けられている請求項９乃至請求項１２の何れかに記載のエレベータの安全装置。
【請求項１４】
前記かごドア（２３）には該かごドア（２３）に対して相対移動するセーフティシューフレーム（２９）が取り付けられており、該セーフティシューフレーム（２９）の下端面は、水平面に対して所定の傾斜角度を有して他方のかごドア側へ向いた斜面（２８）を形成している請求項９乃至請求項１３の何れかに記載のエレベータの安全装置。
【請求項１５】
前記かごドア（２３）は全開状態から第１の全閉直前状態及び第２の全閉直前状態を経て全閉状態まで閉じるものであって、該かごドア（２３）が第１の全閉直前状態から第２の全閉直前状態まで閉じる過程の所定時点でオフからオンとなる検知手段を具え、
前記第２反射部材（６）は、前記かごドア（２３）が第１の全閉直前状態から第２の全閉直前状態まで閉じる過程では前記投光／受光ユニット（４）から出射される光ビームを反射する一方、前記かごドア（２３）が第２の全閉直前状態から全閉状態に達する過程では前記投光／受光ユニット（４）から出射される光ビームを殆ど反射しない構成を有し、前記検知手段がオンとなった後に異物検知信号が生成されないとき、投光／受光ユニット（４）に異常が発生したものと判断する請求項９乃至請求項１４の何れかに記載のエレベータの安全装置。
【請求項１６】
更に、乗り場ドアの下端部には、該乗り場ドアの閉方向端面の下端と敷居の表面との間に形成される隙間を塞ぐ、異物侵入防止部材（９）が取り付けられている請求項１乃至請求項１５の何れかに記載のエレベータの安全装置。
【請求項１７】
（削除）
【請求項１８】
（削除）
【請求項１９】
（削除）
【請求項２０】
互いに接近離間する方向に移動して乗降口を開閉する一対のかごドア（２）（３）と、乗降口の上方に配備されるフレーム（８１）とを具えたエレベータの安全装置において、
前記フレーム（８１）には、前記一対のかごドア（２）（３）が全閉状態にて互いに当接する当接位置を上下に延びる直線上の位置に、下方へ向けて投光／受光ユニット（４）が配備され、一方のかごドア（３）には、他方のかごドア（２）と当接すべき閉方向端面（３ａ）の下端位置に、反射部材（５０）が上方に向けて配備され、前記投光／受光ユニット（４）は光ビームの出射と入射光ビームの検知が可能であり、両かごドア（２）（３）が全閉直前状態から全閉状態まで閉じる過程で前記投光／受光ユニット（４）による光ビームの検知が中断されたとき、異物検知信号が生成されることを特徴とするエレベータの安全装置。
【請求項２１】
前記反射部材（５０）は、前記一方のかごドア（３）が摺動可能に嵌まる敷居（８２）の溝（８３）の内部に、該溝（８３）に沿って移動可能に保持されている請求項２０に記載のエレベータの安全装置。
【請求項２２】
前記敷居（８２）の溝（８３）の内部には、両かごドア（２）（３）が閉じる過程で前記反射部材（５０）の表面を清掃する、清掃具（７７）が取り付けられている請求項２１に記載のエレベータの安全装置。
【請求項２３】
前記一対のかごドア（２）（３）には、全閉状態にて互いに当接すべき閉方向端面（２ａ）（３ａ）に、前記直線に沿って延びた一対の凹部（２ｂ）（３ｂ）又は一対の切欠き部（２ｃ）（３ｃ）が形成されており、両かごドア（２）（３）が全閉状態のときに、光ビームを通過させるための通路（１０５）が該一対の凹部（２ｂ）（３ｂ）又は一対の切欠き部（２ｃ）（３ｃ）によって形成される請求項２０乃至請求項２２の何れかに記載のエレベータの安全装置。
【請求項２４】
戸当たりフレーム（８４）に対して接近離間する方向に移動して乗降口を開閉する少なくとも１つのかごドア（２３）を具えたエレベータの安全装置において、
前記戸当たりフレーム（８４）には、前記かごドア（２３）が当接すべき端面（８４ａ）からかごドア（２３）側へ所定の距離だけ離れた位置を上下に延びる直線上の上端位置に、下方へ向けて投光／受光ユニット（４）が配備される一方、該直線上の下端位置には、上方へ向けて第１反射部材（６１）が配備され、前記投光／受光ユニット（４）は光ビームの出射と入射光ビームの検知が可能であり、前記かごドア（２３）には、かごドア（２３）が閉じた状態で前記投光／受光ユニット（４）が収容される収容空間（３０）が形成され、該収容空間（３０）の底部には、上方へ向けて第２反射部材（６２）が配備され、該第２反射部材（６２）は、前記戸当たりフレーム（８４）と当接すべき前記かごドア（２３）の閉方向端面（２３ａ）と同じ位置から前記収容空間（３０）の奥方へ向かって延び、前記かごドア（２３）が閉じる過程で前記投光／受光ユニット（４）による光ビームの検知が中断されたとき、異物検知信号が生成されることを特徴とするエレベータの安全装置。
【請求項２５】
前記かごドア（２３）には、該かごドア（２３）に対して相対移動するセーフティシューフレーム（２９）が取り付けられ、前記戸当たりフレーム（８４）の端面（８４ａ）には、前記直線に沿って延びた突出部材（９４）が形成されており、該突出部材（９４）は、該端面（８４ａ）からの突出長さが前記所定の距離よりも短く、該直線の位置に対してセーフティシューフレーム（２９）側に位置すると共に、前記かごドア（２３）が閉じる過程でセーラティシューフレーム（２９）と重なる請求項２４に記載のエレベータの安全装置。
【請求項２６】
前記戸当たりフレーム（８４）の下端部には、該戸当たりフレーム（８４）の端面（８４ａ）よりも前記かごドア（２３）側へ突出する異物押出し部材（９３）が配備されている請求項２４又は請求項２５に記載のエレベータの安全装置。
【請求項２７】
前記かごドア（２３）には、該かごドア（２３）が閉じる過程で前記第１反射部材（６１）の表面を清掃する、清掃具（７８）が取り付けられている請求項２４乃至請求項２６の何れかに記載のエレベータの安全装置。
【請求項２８】
前記戸当たりフレーム（８４）には、前記投光／受光ユニット（４）よりも前記かごドア（２３）側に清掃具（７９）が取り付けられ、該清掃具（７９）は、該かごドア（２３）が閉じる過程で前記第２反射部材（６２）の表面を清掃する請求項２４乃至請求項２７の何れかに記載のエレベータの安全装置。
【請求項２９】
前記第１反射部材（６１）は、前記かごドア（２３）が摺動可能に嵌まる敷居（８６）の溝（８７）の内部に保持されている請求項２４乃至請求項２８の何れかに記載のエレベータの安全装置。
【請求項３０】
前記かごドア（２３）は全開状態から第１の全閉直前状態及び第２の全閉直前状態を経て全閉状態まで閉じるものであって、該かごドア（２３）が第１の全閉直前状態から第２の全閉直前状態まで閉じる過程の所定時点でオフからオンとなる検知手段を具え、
前記第２反射部材（６２）は、前記かごドア（２３）が第１の全閉直前状態から第２の全閉直前状態まで閉じる過程では前記投光／受光ユニット（４）から出射される光ビームを反射する一方、前記かごドア（２３）が第２の全閉直前状態から全閉状態に達する過程では前記投光／受光ユニット（４）から出射される光ビームを殆ど反射しない構成を有し、前記検知手段がオンとなった後に異物検知信号が生成されないとき、投光／受光ユニット（４）に異常が発生したものと判断する請求項２４乃至請求項２９の何れかに記載のエレベータの安全装置。
【請求項３１】
（削除）
【請求項３２】
（削除）
【請求項３３】
（削除）
【請求項３４】
前記投光／受光ユニット（４）による光ビームの出射は、前記かごドアが全閉直前状態から全閉状態まで閉じる過程で実行される請求項２０乃至請求項３０の何れかに記載のエレベータの安全装置。
【請求項３５】
前記かごドアの下端部には、該かごドアの閉方向端面の下端と敷居の表面との間に形成される隙間を塞ぐ、異物侵入防止部材（９１）（９２）が取り付けられている請求項２０乃至請求項３０、請求項３４の何れかに記載のエレベータの安全装置。
【請求項３６】
前記かごドアが閉じる過程で異物検知信号が生成された場合に、その動作を反転させて該かごドアを開く反転戸開き動作を実行する反転戸開き手段と、
前記反転戸開き手段による反転戸開き動作を無効にして、異物検知信号の生成の有無に拘わらず強制的に前記かごドアの戸閉め動作を実行する強制戸閉め手段と、
前記強制戸閉め手段による強制戸閉め動作の実行前に、又は、前記強制戸閉め手段による強制戸閉め動作の実行に並行して、該強制戸閉め動作の実行を報知する報知手段
とを具える請求項１乃至請求項１６、請求項２０乃至請求項３０、請求項３４、請求項３５の何れかに記載のエレベータの安全装置。
【請求項３７】
前記強制戸閉め手段による強制戸閉め動作の完了後に乗りかごの走行を開始させる乗りかご制御手段と、
前記強制戸閉め手段による強制戸閉め動作の実行中に異物検知信号が生成された場合、前記乗りかご制御手段により乗りかごの走行が開始される前に乗りかごの走行開始を報知する第２の報知手段
とを更に具える請求項３６に記載のエレベータの安全装置。
【手続補正２】
【補正対象書類名】明細書
【補正対象項目名】０００２
【補正方法】変更
【補正の内容】
【０００２】
を利用して、紐状の異物を検知することが考えられる。
［０００５］
又、一対のかごドアが全閉状態にて互いに当接する当接位置を上下に延びる鉛直線上の位置にて、敷居に投光部を配置すると共に、乗降口上方のフレームに受光部を配置し、投光部から出射された光を受光部で検知する鉛直走査方式（特許文献２参照）を利用して、紐状の異物を検知することも考えられる。
［０００６］
上記鉛直走査方式を採用すれば、乗りかごの乗降口を通過してある程度の高さ位置を紐が伸びている状態で、かごドアが閉じると、その過程で光の走査線が紐を横切るため、受光部の出力信号に基づいて紐を検知することが可能である。
先行技術文献
特許文献
［０００７］
特許文献１：実開昭６１−２０３６８０号公報
特許文献２：特開２００８−１６９００９号公報
発明の概要
発明が解決しようとする課題
［０００８］
かごドアに投光部を配置したエレベータ（特許文献１参照）においては、投光部はかごドアの閉方向端面から突出した位置に設置されているため、かごドアが全閉状態の直前の位置（全閉直前位置）から全閉位置まで閉じる過程で、投光部が他方のかごドア若しくは戸当たりフレームと衝突しない様、該他方のかごドア若しくは戸当たりフレームには投光部の収容空間を形成する必要がある。
従って、かごドアが全閉直前位置から全閉位置まで閉じる過程で、投光部から出射される光は前記他方のかごドア若しくは戸当たりフレームによって遮られ、受光部には到達しないことになる。
［０００９］
ここで、受光部による光検知の中断を異物の検知と判断することは出来ないので、かごドアが全閉直前位置から全閉位置まで閉じるまでは、投光部と
【手続補正３】
【補正対象書類名】明細書
【補正対象項目名】０００３
【補正方法】変更
【補正の内容】
【０００３】
受光部による異物検知機能は無効とせざるを得ない。
この場合、投光部が設置されているかごドアの閉方向端面に接触して紐状の異物が伸びていると、投光部と受光部による異物検知機能が無効となっているため、その異物を検知することが出来ない問題がある。
［００１０］
フレームの敷居に投光部を配置したエレベータ（特許文献２参照）によれば、この問題を解決することができるが、投光部への汚れの付着やいたずら等により、投光部から出射された光が遮られ、その結果、受光部による光検知が中断されて、異物の検知と誤って判断してしまう虞がある。
例えばかごドアの閉方向端面に、その上端から下端までの全域を感度域とする感圧センサーを取り付けることも考えられるが、この場合、かごドアに大きな改造を施さねばならず、改造コストが嵩む問題がある。
［００１１］
そこで本発明の目的は、紐状の異物をその位置に拘らず常に確実に検知することが出来る簡易な構成のエレベータの安全装置を提供することである。
課題を解決するための手段
［００１２］
本発明に係る第１のエレベータの安全装置は、互いに接近離間する方向に移動して乗降口を開閉する一対のかごドア（２）（３）を具え、一方のかごドア（２）には、他方のかごドア（３）と当接すべき閉方向端面（２ａ）から他方のかごドア（３）側へ所定距離だけ離れた位置を閉方向端面（２ａ）に沿って上下に延びる直線上の上端位置に、下方へ向けて投光／受光ユニット（４）が配備される一方、前記直線上の下端位置には、上方へ向けて第１反射部材（５）が配備され、投光／受光ユニット（４）は光ビームの出射と入射光ビームの検知が可能である。
［００１３］
前記他方のかごドア（３）には、両かごドア（２）（３）が閉じた状態で前記投光／受光ユニット（４）が収容される収容空間（３０）が形成され、該収容空間（３０）の底部には、上方へ向けて第２反射部材（６）が配備され、該第２反射部材（６）は、前記他方のかごドア（３）の閉方向端面（３ａ）と同じ位置から前記収容空間（３０）の奥方へ向かって延びている。
［００１４］
投光／受光ユニット（４）は、両かごドア（２）（３）が閉じる過程で光ビーム
【国際調査報告】
2010024215.tif 000090
2010024215.tif 000091
2010024215.tif 000092
2010024215.tif 000093
2010024215.tif 000094
2010024215.tif 000095
2010024215.tif 000096